(57)【要約】  本発明の通信システムは、例えばセル１〜セル３７のスモールセルが設置される。ネットワーク側装置、例えば基地局装置は、移動端末装置（ＵＥ）（１５０１）の位置、移動速度および移動方向の少なくともいずれか１つに基づいて、セル１〜セル３７のうち、通信状況に関する測定を行うべきメジャメント対象セルをＵＥ（１５０１）に通知する。例えばＵＥ（１５０１）がセル１の地点Ａからセル２７の地点Ｂに移動する場合、破線（１５０２）で囲まれる領域のセルが、メジャメント対象セルとして、ＵＥ（１５０１）に通知される。
2015015886.tif 000002
【特許請求の範囲】
【請求項１】
１つまたは複数の基地局装置を含むネットワーク側装置によって構成されるネットワークを介して、複数の通信端末装置が無線通信を行う通信システムであって、
前記１つまたは複数の基地局装置によって構成され、前記通信端末装置と接続されて前記通信端末装置と無線通信を行う複数のセルを備え、
前記ネットワーク側装置は、
前記通信端末装置の位置、移動速度および移動方向の少なくともいずれか１つに基づいて、前記複数のセルのうち、通信状況に関する測定を行うべきメジャメント対象セルを前記通信端末装置に通知することを特徴とする通信システム。
【請求項２】
１つまたは複数の基地局装置を含むネットワーク側装置によって構成されるネットワークを介して、複数の通信端末装置が無線通信を行う通信システムであって、
前記１つまたは複数の基地局装置によって構成され、前記通信端末装置と接続されて前記通信端末装置と無線通信を行う複数のセルを備え、
前記通信端末装置は、自装置の位置、移動速度および移動方向の少なくともいずれか１つに基づいて、前記複数のセルのうち、通信状況に関する測定結果を報告すべき報告対象セルを選択し、選択した報告対象セルの測定結果を前記基地局装置に報告することを特徴とする通信システム。
【請求項３】
前記ネットワーク側装置は、
前記通信端末装置が前記報告対象セルを選択する基準となる選択基準として、前記通信端末装置の位置、移動速度および移動方向に応じて異なる複数の選択基準を有し、前記通信端末装置の位置、移動速度および移動方向の少なくともいずれか１つに基づいて、前記複数の選択基準の中から、使用する選択基準を決定し、決定した選択基準を前記通信端末装置に通知し、
前記通信端末装置は、
前記ネットワーク側装置から通知される選択基準に基づいて、前記報告対象セルを選択することを特徴とする請求項２に記載の通信システム。
【請求項４】
前記ネットワーク側装置は、
前記通信端末装置が前記報告対象セルを選択する基準となる選択基準として、前記通信端末装置の位置、移動速度および移動方向に応じて異なる複数の選択基準を示すメジャメント設定を前記通信端末装置に通知し、
前記通信端末装置は、
前記ネットワーク側装置から通知されるメジャメント設定に従って、前記通信端末装置の位置、移動速度および移動方向の少なくともいずれか１つに基づいて、前記複数の選択基準の中から、使用する選択基準を決定し、決定した選択基準に基づいて、前記報告対象セルを選択することを特徴とする請求項２に記載の通信システム。
【発明の詳細な説明】
【技術分野】
【０００１】
本発明は、基地局装置を含むネットワーク側装置で構成されるネットワークを介して複数の通信端末装置が無線通信を行う通信システムに関する。
【背景技術】
【０００２】
移動体通信システムの規格化団体である３ＧＰＰ（3rd Generation Partnership Project）において、無線区間についてはロングタームエボリューション（Long Term Evolution：ＬＴＥ）と称し、コアネットワークおよび無線アクセスネットワーク（以下、まとめて、ネットワークとも称する）を含めたシステム全体構成については、システムアーキテクチャエボリューション（System Architecture Evolution：ＳＡＥ）と称される新たな通信方式が検討されている（例えば、非特許文献１〜１３参照）。この通信方式は３．９Ｇ（3.9 Generation）システムとも呼ばれる。【０００３】
ＬＴＥのアクセス方式としては、下り方向はＯＦＤＭ（Orthogonal Frequency Division Multiplexing）、上り方向はＳＣ−ＦＤＭＡ（Single Carrier Frequency Division Multiple Access）が用いられる。また、ＬＴＥは、Ｗ−ＣＤＭＡ（Wideband Code division Multiple Access）とは異なり、回線交換を含まず、パケット通信方式のみになる。【０００４】
非特許文献１（５章）に記載される、３ＧＰＰでの、ＬＴＥシステムにおけるフレーム構成に関する決定事項について、図１を用いて説明する。図１は、ＬＴＥ方式の通信システムで使用される無線フレームの構成を示す説明図である。図１において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目および６番目のサブフレームに下り同期信号（Downlink Synchronization Signal：ＳＳ）が含まれる。同期信号には、第一同期信号（Primary Synchronization Signal：Ｐ−ＳＳ）と、第二同期信号（Secondary Synchronization Signal：Ｓ−ＳＳ）とがある。【０００５】
３ＧＰＰでの、ＬＴＥシステムにおけるチャネル構成に関する決定事項が、非特許文献１（５章）に記載されている。ＣＳＧ（Closed Subscriber Group）セルにおいてもｎｏｎ−ＣＳＧセルと同じチャネル構成が用いられると想定されている。【０００６】
物理報知チャネル（Physical Broadcast channel：ＰＢＣＨ）は、基地局から移動端末への下り送信用のチャネルである。ＢＣＨトランスポートブロック（transport block）は、４０ｍｓ間隔中の４個のサブフレームにマッピングされる。４０ｍｓタイミングの明白なシグナリングはない。【０００７】
物理制御フォーマットインジケータチャネル（Physical Control Format Indicator Channel：ＰＣＦＩＣＨ）は、基地局から移動端末への下り送信用のチャネルである。ＰＣＦＩＣＨは、ＰＤＣＣＨｓのために用いるＯＦＤＭ（Orthogonal Frequency Division Multiplexing）シンボルの数について基地局から移動端末へ通知する。ＰＣＦＩＣＨは、サブフレーム毎に送信される。【０００８】
物理下り制御チャネル（Physical Downlink Control Channel：ＰＤＣＣＨ）は、基地局から移動端末への下り送信用のチャネルである。ＰＤＣＣＨは、後述のトランスポートチャネルの１つである下り共有チャネル（Downlink Shared Channel：ＤＬ−ＳＣＨ）のリソース割り当て（allocation）情報、後述のトランスポートチャネルの１つであるページングチャネル（Paging Channel：ＰＣＨ）のリソース割り当て（allocation）情報、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。【０００９】
物理下り共有チャネル（Physical Downlink Shared Channel：ＰＤＳＣＨ）は、基地局から移動端末への下り送信用のチャネルである。ＰＤＳＣＨには、トランスポートチャネルである下り共有チャネル（ＤＬ−ＳＣＨ）、およびトランスポートチャネルであるＰＣＨがマッピングされている。【００１０】
物理マルチキャストチャネル（Physical Multicast Channel：ＰＭＣＨ）は、基地局から移動端末への下り送信用のチャネルである。ＰＭＣＨには、トランスポートチャネルであるマルチキャストチャネル（Multicast Channel：ＭＣＨ）がマッピングされている。【００１１】
物理上り制御チャネル（Physical Uplink Control Channel：ＰＵＣＣＨ）は、移動端末から基地局への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。【００１２】
物理上り共有チャネル（Physical Uplink Shared Channel：ＰＵＳＣＨ）は、移動端末から基地局への上り送信用のチャネルである。ＰＵＳＣＨには、トランスポートチャネルの１つである上り共有チャネル（Uplink Shared Channel：ＵＬ−ＳＣＨ）がマッピングされている。【００１３】
物理ＨＡＲＱインジケータチャネル（Physical Hybrid ARQ Indicator Channel：ＰＨＩＣＨ）は、基地局から移動端末への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）は、移動端末から基地局への上り送信用のチャネルである。ＰＲＡＣＨは、ランダムアクセスプリアンブル（random access preamble）を運ぶ。【００１４】
下り参照信号（リファレンスシグナル（Reference Signal）：ＲＳ）は、ＬＴＥ方式の通信システムとして既知のシンボルである。以下の５種類の下りリファレンスシグナルが定義されている。セル固有参照信号（Cell-specific Reference Signals：ＣＲＳ）、ＭＢＳＦＮ参照信号（MBSFN reference signals）、ＵＥ固有参照信号（UE-specific reference signals）であるデータ復調用参照信号（Demodulation Reference Signal：ＤＭ−ＲＳ）、位置決定参照信号（Positioning Reference Signals：ＰＲＳ）、チャネル情報参照信号（Channel-State Information Reference Signals：ＣＳＩ−ＲＳ）。移動端末の物理レイヤの測定として、リファレンスシグナルの受信電力（Reference Signal Received Power：ＲＳＲＰ）測定がある。【００１５】
非特許文献１（５章）に記載されるトランスポートチャネル（Transport channel）について、説明する。下りトランスポートチャネルのうち、報知チャネル（Broadcast Channel：ＢＣＨ）は、その基地局（セル）のカバレッジ全体に報知される。ＢＣＨは、物理報知チャネル（ＰＢＣＨ）にマッピングされる。【００１６】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）ともいわれる。ＤＬ−ＳＣＨは、移動端末の低消費電力化のために移動端末の間欠受信（Discontinuous reception：ＤＲＸ）をサポートする。ＤＬ−ＳＣＨは、物理下り共有チャネル（ＰＤＳＣＨ）へマッピングされる。【００１７】
ページングチャネル（Paging Channel：ＰＣＨ）は、移動端末の低消費電力を可能とするために移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。【００１８】
マルチキャストチャネル（Multicast Channel：ＭＣＨ）は、基地局（セル）のカバレッジ全体への報知に使用される。ＭＣＨは、マルチセル送信におけるＭＢＭＳサービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。【００１９】
上りトランスポートチャネルのうち、上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。【００２０】
ランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。【００２１】
ＨＡＲＱについて説明する。ＨＡＲＱとは、自動再送要求（Automatic Repeat reQuest：ＡＲＱ）と誤り訂正（Forward Error Correction）との組合せにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。【００２２】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。【００２３】
非特許文献１（６章）に記載される論理チャネル（ロジカルチャネル：Logical channel）について、説明する。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。【００２４】
ページング制御チャネル（Paging Control Channel：ＰＣＣＨ）は、ページング情報（Paging Information）およびシステム情報（System Information）の変更を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。【００２５】
共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を有していない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。【００２６】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルであるマルチキャストチャネル（ＭＣＨ）へマッピングされる。【００２７】
個別制御チャネル（Dedicated Control Channel：ＤＣＣＨ）は、１対１にて、移動端末とネットワークとの間の個別制御情報を送信するチャネルである。ＤＣＣＨは、移動端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。【００２８】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。【００２９】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、マルチキャストチャネル（ＭＣＨ）へマッピングされる。【００３０】
ＣＧＩとは、セルグローバル識別子（Cell Global Identifier）のことである。ＥＣＧＩとは、Ｅ−ＵＴＲＡＮセルグローバル識別子（E-UTRAN Cell Global Identifier）のことである。ＬＴＥ、後述のＬＴＥ−Ａ（Long Term Evolution Advanced）およびＵＭＴＳ（Universal Mobile Telecommunication System）において、ＣＳＧ（Closed Subscriber Group）セルが導入される。【００３１】
ＣＳＧ（Closed Subscriber Group）セルとは、利用可能な加入者をオペレータが特定しているセル（以下「特定加入者用セル」という場合がある）である。特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。【００３２】
ＣＳＧセルは、固有のＣＳＧアイデンティティ（CSG identity：ＣＳＧ  ＩＤ；ＣＳＧ−ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ−ＩＤを用いてＣＳＧセルにアクセスする。【００３３】
ＣＳＧ−ＩＤは、ＣＳＧセルまたはセルによって報知される。ＬＴＥ方式の通信システムにＣＳＧ−ＩＤは複数存在する。そして、ＣＳＧ−ＩＤは、ＣＳＧ関連のメンバーのアクセスを容易にするために、移動端末（ＵＥ）によって使用される。【００３４】
移動端末の位置追跡は、１つ以上のセルからなる区域を単位に行われる。位置追跡は、待受け状態であっても移動端末の位置を追跡し、移動端末を呼び出す、換言すれば移動端末が着呼することを可能にするために行われる。この移動端末の位置追跡のための区域をトラッキングエリアと呼ぶ。【００３５】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、およびＥ−ＵＴＲＡＮにおけるＨｅＮＢは、例えば家庭、法人、商業用のアクセスサービス向けの基地局である。非特許文献３には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）とが開示されている。【００３６】
各々のモードは、以下のような特徴を有する。オープンアクセスモードでは、ＨｅＮＢおよびＨＮＢは、通常のオペレータのノーマルセルとして操作される。クローズドアクセスモードでは、ＨｅＮＢおよびＨＮＢは、ＣＳＧセルとして操作される。このＣＳＧセルは、ＣＳＧメンバーのみアクセス可能なＣＳＧセルである。ハイブリッドアクセスモードでは、ＨｅＮＢおよびＨＮＢは、非ＣＳＧメンバーも同時にアクセス許可されているＣＳＧセルとして操作される。言い換えれば、ハイブリッドアクセスモードのセル（ハイブリッドセルとも称する）は、オープンアクセスモードとクローズドアクセスモードとの両方をサポートするセルである。【００３７】
３ＧＰＰでは、全ての物理セル識別子（Physical Cell Identity：ＰＣＩ）のうち、ＣＳＧセルで使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリットに関する情報（ＰＣＩスプリット情報とも称する）は、システム情報によって基地局から傘下の移動端末に対して報知される。基地局の傘下とは、該基地局をサービングセルとすることを意味する。【００３８】
非特許文献４は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。【００３９】
また３ＧＰＰでは、リリース１０として、ロングタームエボリューションアドヴァンスド（Long Term Evolution Advanced：ＬＴＥ−Ａ）の規格策定が進められている（非特許文献５、非特許文献６参照）。ＬＴＥ−Ａは、ＬＴＥの無線区間通信方式を基本とし、それにいくつかの新技術を加えて構成される。【００４０】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約する（「アグリゲーション（aggregation）する」とも称する）、キャリアアグリゲーション（Carrier Aggregation：ＣＡ）が検討されている。【００４１】
ＣＡが構成される場合、ＵＥはネットワーク（Network：ＮＷ）と唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。【００４２】
ＵＥの能力（ケーパビリティ（capability））に応じて、セカンダリセル（Secondary Cell：ＳＣｅｌｌ）が、ＰＣｅｌｌとサービングセルとの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。【００４３】
一つのＵＥに対して、一つのＰＣｅｌｌと、一つ以上のＳＣｅｌｌからなるサービングセルとの組が構成される。【００４４】
また、ＬＴＥ−Ａでの新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献７に記載されている。【００４５】
また、３ＧＰＰにおいて、リリース１２版の規格書の策定が進められている。この中で、将来の膨大なトラフィックに対応するために、スモールセルを構成するスモールｅＮＢを用いることが検討されている。例えば、多数のスモールｅＮＢを設置して、多数のスモールセルを構成することによって、周波数利用効率を高めて、通信容量の増大を図る技術などが検討されている。【００４６】
モバイルネットワークのトラフィック量は、増加傾向にあり、通信速度も高速化が進んでいる。ＬＴＥおよびＬＴＥ−Ａが本格的に運用を開始されると、更に通信速度が高速化され、トラフィック量が増加することが見込まれる。
【先行技術文献】
【非特許文献】
【００４７】
【非特許文献１】３ＧＰＰ  ＴＳ３６．３００  Ｖ１１．４．０
【非特許文献２】３ＧＰＰ  ＴＳ３６．３０４  Ｖ１１．１．０  ３．１章
【非特許文献３】３ＧＰＰ  Ｓ１−０８３４６１
【非特許文献４】３ＧＰＰ  Ｒ２−０８２８９９
【非特許文献５】３ＧＰＰ  ＴＲ  ３６．８１４  Ｖ９．０．０
【非特許文献６】３ＧＰＰ  ＴＲ  ３６．９１２  Ｖ１０．０．０
【非特許文献７】３ＧＰＰ  ＴＲ  ３６．８１９  Ｖ１１．１．０
【非特許文献８】３ＧＰＰ  ＴＳ  ３６．１４１  Ｖ１１．１．０
【非特許文献９】３ＧＰＰ  ＴＳ２３．２７１  Ｖ１０．２．０
【非特許文献１０】３ＧＰＰ  ＴＳ３６．３０５  Ｖ１０．３．０
【非特許文献１１】３ＧＰＰ  ＴＳ３６．３３１  Ｖ１１．３．０
【非特許文献１２】３ＧＰＰ  Ｒ２−１３１４２０
【非特許文献１３】３ＧＰＰ  Ｒ２−１２０４６４
【発明の概要】
【発明が解決しようとする課題】
【００４８】
マクロセルに比べて、スモールセルのセル半径は小さく、カバレッジ範囲は小さいので、ＵＥが移動する場合、ＵＥがマクロセルに滞留する時間に比べて、ＵＥがスモールセルに滞留する時間は短くなる。【００４９】
したがって、ＵＥがスモールセル間を比較的高速で移動する場合、ハンドオーバ（Handover：ＨＯ）が正常に行われないおそれがある。例えば、ＵＥが、ＨＯに関連する処理（以下「ＨＯ関連処理」という場合がある）において、仮に、測定によって適切なスモールセルを検出したとしても、検出されたスモールセルにＨＯ処理を行っている間に、そのスモールセルをＵＥが通過してしまうことがある。このとき、既に、そのスモールセルとの間の通信品質は劣化しているので、ＨＯが正常に行われずに失敗するおそれがある。【００５０】
したがって、多数のスモールｅＮＢが設置されて、多数のスモールセルが構成される場合、ＵＥの高速移動に対応可能なモビリティ（mobility）性能を有する通信システムが求められる。前述の非特許文献１〜１３には、このような通信システムについては開示されていない。【００５１】
本発明の目的は、通信端末装置が比較的高速でセル間を移動する場合でも、通信端末装置の移動に対応可能なモビリティ性能を有する通信システムを提供することである。
【課題を解決するための手段】
【００５２】
本発明の通信システムは、１つまたは複数の基地局装置を含むネットワーク側装置によって構成されるネットワークを介して、複数の通信端末装置が無線通信を行う通信システムであって、前記１つまたは複数の基地局装置によって構成され、前記通信端末装置と接続されて前記通信端末装置と無線通信を行う複数のセルを備え、前記ネットワーク側装置は、前記通信端末装置の位置、移動速度および移動方向の少なくともいずれか１つに基づいて、前記複数のセルのうち、通信状況に関する測定を行うべきメジャメント対象セルを前記通信端末装置に通知することを特徴とする。【００５３】
また本発明の通信システムは、１つまたは複数の基地局装置を含むネットワーク側装置によって構成されるネットワークを介して、複数の通信端末装置が無線通信を行う通信システムであって、前記１つまたは複数の基地局装置によって構成され、前記通信端末装置と接続されて前記通信端末装置と無線通信を行う複数のセルを備え、前記通信端末装置は、自装置の位置、移動速度および移動方向の少なくともいずれか１つに基づいて、前記複数のセルのうち、通信状況に関する測定結果を報告すべき報告対象セルを選択し、選択した報告対象セルの測定結果を前記基地局装置に報告することを特徴とする。
【発明の効果】
【００５４】
本発明の通信システムによれば、ネットワーク側装置によって、通信端末装置の位置、移動速度および移動方向の少なくとも１つに基づいて、メジャメント対象セルが通信端末装置に通知される。これによって、通信端末装置は、複数のセルのうち、自装置の位置、移動速度および移動方向の少なくとも１つに適したメジャメント対象セルから、通信対象となるセル（以下「ターゲットセル」という場合がある）を選択することが可能となる。例えば、通信端末装置が比較的高速でセル間を移動する場合でも、適切なターゲットセルを選択することが可能となる。したがって、通信端末装置の移動に対応可能なモビリティ性能を有する通信システムを実現することができる。【００５５】
また本発明の通信システムによれば、通信端末装置の位置、移動速度および移動方向の少なくともいずれか１つに基づいて、複数のセルのうち、通信状況に関する測定結果を報告すべき報告対象セルが選択され、選択された報告対象セルの測定結果が通信端末装置から基地局装置に報告される。これによって、通信端末装置は、複数のセルのうち、自装置の位置、移動速度および移動方向の少なくとも１つに適したセルを、ターゲットセルとして選択することが可能となる。例えば、通信端末装置が比較的高速でセル間を移動する場合でも、適切なターゲットセルを選択することが可能となる。したがって、通信端末装置の移動に対応可能なモビリティ性能を有する通信システムを実現することができる。また、ネットワーク側装置から通信状況に関する測定を行うべきメジャメント対象セルを通信端末装置に通知する必要がないので、ネットワーク側装置の処理負荷を軽減することができる。【００５６】
本発明の目的、特徴、局面、および利点は、以下の詳細な説明と添付図面とによって、より明白となる。
【図面の簡単な説明】
【００５７】
【図１】ＬＴＥ方式の通信システムで使用される無線フレームの構成を示す説明図である。
【図２】３ＧＰＰにおいて議論されているＬＴＥ方式の通信システム７００の全体的な構成を示すブロック図である。
【図３】本発明に係る移動端末である図２に示す移動端末７１の構成を示すブロック図である。
【図４】本発明に係る基地局である図２に示す基地局７２の構成を示すブロック図である。
【図５】本発明に係るＭＭＥの構成を示すブロック図である。
【図６】ＬＴＥ方式の通信システムにおいて移動端末（ＵＥ）が行うセルサーチから待ち受け動作までの概略を示すフローチャートである。
【図７】マクロｅＮＢとスモールｅＮＢとが混在する場合のセルの構成の概念を示す図である。
【図８】複数のスモールセルによるセル構成の一例を示す図である。
【図９】ＵＥの移動方向を用いたメジャメント対象セルの導出方法の一例を説明するための図である。
【図１０】本発明の実施の形態１における通信システムのシーケンスの一例を示す図である。
【図１１】別階層へ移動する場合のメジャメント報告の一例を説明するための図である。
【図１２】人が歩くとき、または走るときの振動のリズムを示すグラフである。
【図１３】タイヤが路面を走行するときの振動のリズムを示すグラフである。
【図１４】電車の車輪がレールの継ぎ目を通過するときに発生する振動のリズムを示すグラフである。
【図１５】報告対象となる受信品質の領域の一例を示すグラフである。
【図１６】本発明の実施の形態１の変形例１におけるＵＥ５０の構成を示すブロック図である。
【図１７】報告対象となる受信品質の領域の一例を示すグラフである。
【図１８】本発明の実施の形態１の変形例２におけるＵＥ６０の構成を示すブロック図である。
【図１９】多数のスモールセルが設置される場合のセル構成の一例を示す図である。
【図２０】セル構成および各セルの使用周波数の一例を示す図である。
【図２１】本発明の実施の形態２における通信システムのシーケンスの一例を示す図である。
【図２２】本発明の実施の形態２の変形例１における通信システムのシーケンスの一例を示す図である。
【発明を実施するための形態】
【００５８】
実施の形態１．
図２は、３ＧＰＰにおいて議論されているＬＴＥ方式の通信システム７００の全体的な構成を示すブロック図である。図２について説明する。無線アクセスネットワークはＥ−ＵＴＲＡＮ（Evolved Universal Terrestrial Radio Access Network）７０と称される。移動端末装置（以下「移動端末（User Equipment：ＵＥ）」という）７１は、基地局装置（以下「基地局（E-UTRAN NodeB：ｅＮＢ）」という）７２と無線通信可能であり、無線通信で信号の送受信を行う。移動端末装置（ＵＥ）は、通信端末装置に相当する。
【００５９】
移動端末７１と基地局７２との間の制御プロトコルＲＲＣ（Radio Resource Control）は、報知（Broadcast）、ページング（paging）、ＲＲＣ接続マネージメント（RRC connection management）などを行う。ＲＲＣにおける基地局７２と移動端末７１との状態として、ＲＲＣ＿ＩＤＬＥと、ＲＲＣ＿ＣＯＮＮＥＣＴＥＤとがある。
【００６０】
ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティなどが行われる。ＲＲＣ＿ＣＯＮＮＥＣＴＥＤでは、移動端末はＲＲＣ接続（connection）を有し、ネットワークとのデータの送受信を行うことができる。またＲＲＣ＿ＣＯＮＮＥＣＴＥＤでは、ハンドオーバ（Handover：ＨＯ）、隣接セル（Neighbour cell）の測定（メジャメント（measurement））などが行われる。
【００６１】
基地局７２は、ｅＮＢ７６と、Ｈｏｍｅ−ｅＮＢ７５とに分類される。通信システム７００は、複数のｅＮＢ７６を含むｅＮＢ群７２−１と、複数のＨｏｍｅ−ｅＮＢ７５を含むＨｏｍｅ−ｅＮＢ群７２−２とを備える。またコアネットワークであるＥＰＣ（Evolved Packet Core）と、無線アクセスネットワークであるＥ−ＵＴＲＡＮ７０とで構成されるシステムは、ＥＰＳ（Evolved Packet System）と称される。コアネットワークであるＥＰＣと、無線アクセスネットワークであるＥ−ＵＴＲＡＮ７０とを合わせて、「ネットワーク」という場合がある。
【００６２】
ｅＮＢ７６は、移動管理エンティティ（Mobility Management Entity：ＭＭＥ）、あるいはＳ−ＧＷ（Serving Gateway）、あるいはＭＭＥおよびＳ−ＧＷを含むＭＭＥ／Ｓ−ＧＷ部（以下「ＭＭＥ部」という場合がある）７３とＳ１インタフェースにより接続され、ｅＮＢ７６とＭＭＥ部７３との間で制御情報が通信される。一つのｅＮＢ７６に対して、複数のＭＭＥ部７３が接続されてもよい。ｅＮＢ７６間は、Ｘ２インタフェースにより接続され、ｅＮＢ７６間で制御情報が通信される。
【００６３】
Ｈｏｍｅ−ｅＮＢ７５は、ＭＭＥ部７３とＳ１インタフェースにより接続され、Ｈｏｍｅ−ｅＮＢ７５とＭＭＥ部７３との間で制御情報が通信される。一つのＭＭＥ部７３に対して、複数のＨｏｍｅ−ｅＮＢ７５が接続される。あるいは、Ｈｏｍｅ−ｅＮＢ７５は、ＨｅＮＢＧＷ（Home-eNB GateWay）７４を介してＭＭＥ部７３と接続される。Ｈｏｍｅ−ｅＮＢ７５とＨｅＮＢＧＷ７４とは、Ｓ１インタフェースにより接続され、ＨｅＮＢＧＷ７４とＭＭＥ部７３とはＳ１インタフェースを介して接続される。
【００６４】
一つまたは複数のＨｏｍｅ−ｅＮＢ７５が一つのＨｅＮＢＧＷ７４と接続され、Ｓ１インタフェースを通して情報が通信される。ＨｅＮＢＧＷ７４は、一つまたは複数のＭＭＥ部７３と接続され、Ｓ１インタフェースを通して情報が通信される。
【００６５】
ＭＭＥ部７３およびＨｅＮＢＧＷ７４は、上位ノード装置であり、基地局であるｅＮＢ７６およびＨｏｍｅ−ｅＮＢ７５と、移動端末（ＵＥ）７１との接続を制御する。ＭＭＥ部７３は、コアネットワークであるＥＰＣを構成する。基地局７２およびＨｅＮＢＧＷ７４は、Ｅ−ＵＴＲＡＮ７０を構成する。
【００６６】
さらに３ＧＰＰでは、以下のような構成が検討されている。Ｈｏｍｅ−ｅＮＢ７５間のＸ２インタフェースはサポートされる。すなわち、Ｈｏｍｅ−ｅＮＢ７５間は、Ｘ２インタフェースにより接続され、Ｈｏｍｅ−ｅＮＢ７５間で制御情報が通信される。ＭＭＥ部７３からは、ＨｅＮＢＧＷ７４はＨｏｍｅ−ｅＮＢ７５として見える。Ｈｏｍｅ−ｅＮＢ７５からは、ＨｅＮＢＧＷ７４はＭＭＥ部７３として見える。
【００６７】
Ｈｏｍｅ−ｅＮＢ７５が、ＨｅＮＢＧＷ７４を介してＭＭＥ部７３に接続される場合および直接ＭＭＥ部７３に接続される場合のいずれの場合も、Ｈｏｍｅ−ｅＮＢ７５とＭＭＥ部７３との間のインタフェースは、Ｓ１インタフェースで同じである。
【００６８】
基地局装置７２は、１つのセルを構成してもよいし、複数のセルを構成してもよい。各セルは、通信端末装置と通信可能な範囲であるカバレッジとして予め定める範囲を有し、カバレッジ内で通信端末装置と無線通信を行う。１つの基地局装置が複数のセルを構成する場合、１つ１つのセルが、移動端末と通信可能に構成される。
【００６９】
図３は、本発明に係る移動端末である図２に示す移動端末７１の構成を示すブロック図である。図３に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【００７０】
また、移動端末７１の受信処理は、以下のように実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図３では省略しているが、各部８０１〜８０９と接続している。
【００７１】
図４は、本発明に係る基地局である図２に示す基地局７２の構成を示すブロック図である。図４に示す基地局７２の送信処理を説明する。ＥＰＣ通信部９０１は、基地局７２とＥＰＣ（ＭＭＥ部７３など）、ＨｅＮＢＧＷ７４などとの間のデータの送受信を行う。他基地局通信部９０２は、他の基地局との間のデータの送受信を行う。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【００７２】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【００７３】
また、基地局７２の受信処理は以下のように実行される。一つもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図４では省略しているが、各部９０１〜９１０と接続している。
【００７４】
図５は、本発明に係るＭＭＥの構成を示すブロック図である。図５では、前述の図２に示すＭＭＥ部７３に含まれるＭＭＥ７３ａの構成を示す。ＰＤＮ  ＧＷ通信部１００１は、ＭＭＥ７３ａとＰＤＮ  ＧＷとの間のデータの送受信を行う。基地局通信部１００２は、ＭＭＥ７３ａと基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【００７５】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【００７６】
ＨｅＮＢＧＷ通信部１００４は、ＨｅＮＢＧＷ７４が存在する場合に設けられ、情報種別によって、ＭＭＥ７３ａとＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００７７】
制御プレイン制御部１００５には、ＮＡＳセキュリティ部１００５−１、ＳＡＥベアラコントロール部１００５−２、アイドルステート（Idle State）モビリティ管理部１００５−３などが含まれ、制御プレインに対する処理全般を行う。ＮＡＳセキュリティ部１００５−１は、ＮＡＳ（Non-Access Stratum）メッセージのセキュリティなどを行う。ＳＡＥベアラコントロール部１００５−２は、ＳＡＥ（System Architecture Evolution）のベアラの管理などを行う。アイドルステートモビリティ管理部１００５−３は、待受け状態（アイドルステート（Idle State）；ＬＴＥ−ＩＤＬＥ状態、または、単にアイドルとも称される）のモビリティ管理、待受け状態時のページング信号の生成および制御、傘下の１つあるいは複数の移動端末７１のトラッキングエリアの追加、削除、更新、検索、トラッキングエリアリスト管理などを行う。
【００７８】
ＭＭＥ７３ａは、１つまたは複数の基地局７２に対して、ページング信号の分配を行う。また、ＭＭＥ７３ａは、待受け状態（Idle State）のモビリティ制御（Mobility control）を行う。ＭＭＥ７３ａは、移動端末が待ち受け状態のとき、および、アクティブ状態（Active State）のときに、トラッキングエリア（Tracking Area）リストの管理を行う。ＭＭＥ７３ａは、ＵＥが登録されている（registered）追跡領域（トラッキングエリア：Tracking Area）に属するセルへ、ページングメッセージを送信することで、ページングプロトコルに着手する。ＭＭＥ７３ａに接続されるＨｏｍｅ−ｅＮＢ７５のＣＳＧの管理やＣＳＧ−ＩＤの管理、そしてホワイトリスト管理は、アイドルステートモビリティ管理部１００５−３で行ってもよい。
【００７９】
次に通信システムにおけるセルサーチ方法の一例を示す。図６は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。
【００８０】
Ｐ−ＳＳとＳ−ＳＳとを合わせて、同期信号（ＳＳ）という。同期信号（ＳＳ）には、セル毎に割り当てられたＰＣＩに１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【００８１】
次に同期がとれたセルに対して、ステップＳＴ１２０２で、基地局からセル毎に送信される参照信号（リファレンスシグナル：ＲＳ）であるセル固有参照信号（Cell-specific Reference Signal：ＣＲＳ）を検出し、ＲＳの受信電力（Reference Signal Received Power：ＲＳＲＰ）の測定を行う。参照信号（ＲＳ）には、ＰＣＩと１対１に対応したコードが用いられている。そのコードで相関をとることによって他セルと分離できる。ステップＳＴ１２０１で特定したＰＣＩから、該セルのＲＳ用のコードを導出することによって、ＲＳを検出し、ＲＳの受信電力を測定することが可能となる。
【００８２】
次にステップＳＴ１２０３で、ステップＳＴ１２０２までで検出された一つ以上のセルの中から、ＲＳの受信品質が最もよいセル、例えば、ＲＳの受信電力が最も高いセル、つまりベストセルを選択する。
【００８３】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００８４】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、トラッキングエリアコード（Tracking Area Code：ＴＡＣ）が含まれる。
【００８５】
次にステップＳＴ１２０６で、移動端末は、ステップＳＴ１２０５で受信したＳＩＢ１のＴＡＣと、移動端末が既に保有しているトラッキングエリアリスト内のトラッキングエリア識別子（Tracking Area Identity：ＴＡＩ）のＴＡＣ部分とを比較する。トラッキングエリアリストは、ＴＡＩリスト（TAI list）とも称される。ＴＡＩはトラッキングエリアを識別するための識別情報であり、ＭＣＣ（Mobile Country Code）と、ＭＮＣ（Mobile Network Code）と、ＴＡＣ（Tracking Area Code）とによって構成される。ＭＣＣは国コードである。ＭＮＣはネットワークコードである。ＴＡＣはトラッキングエリアのコード番号である。
【００８６】
移動端末は、ステップＳＴ１２０６で比較した結果、ステップＳＴ１２０５で受信したＴＡＣがトラッキングエリアリスト内に含まれるＴＡＣと同じならば、該セルで待ち受け動作に入る。比較して、ステップＳＴ１２０５で受信したＴＡＣがトラッキングエリアリスト内に含まれなければ、移動端末は、該セルを通して、ＭＭＥなどが含まれるコアネットワーク（Core Network，ＥＰＣ）へ、ＴＡＵ（Tracking Area Update）を行うためにトラッキングエリアの変更を要求する。
【００８７】
コアネットワークを構成する装置（以下「コアネットワーク側装置」という場合がある）は、ＴＡＵ要求信号とともに移動端末から送られてくる該移動端末の識別番号（ＵＥ−ＩＤなど）をもとに、トラッキングエリアリストの更新を行う。コアネットワーク側装置は、移動端末に更新後のトラッキングエリアリストを送信する。移動端末は、受信したトラッキングエリアリストに基づいて、移動端末が保有するＴＡＣリストを書き換える（更新する）。その後、移動端末は、該セルで待ち受け動作に入る。
【００８８】
スマートフォンおよびタブレット端末の普及によって、セルラー系無線通信によるトラフィックが爆発的に増大しており、世界中で無線リソースの不足が懸念されている。これに対応して周波数利用効率を高めるために、小セル化し、空間分離を進めることが検討されている。
【００８９】
従来のセルの構成では、ｅＮＢによって構成されるセルは、比較的広い範囲のカバレッジを有する。従来は、複数のｅＮＢによって構成される複数のセルの比較的広い範囲のカバレッジによって、あるエリアを覆うように、セルが構成されている。
【００９０】
小セル化された場合、ｅＮＢによって構成されるセルは、従来のｅＮＢによって構成されるセルのカバレッジに比べて範囲が狭いカバレッジを有する。したがって、従来と同様に、あるエリアを覆うためには、従来のｅＮＢに比べて、多数の小セル化されたｅＮＢが必要となる。
【００９１】
以下の説明では、従来のｅＮＢによって構成されるセルのように、比較的広い範囲のカバレッジを有するセル、すなわちカバレッジエリアが比較的広いセルを「マクロセル」といい、マクロセルを構成するｅＮＢを「マクロｅＮＢ」という。また、小セル化されたセルのように、比較的狭い範囲のカバレッジを有するセル、すなわちカバレッジエリアが比較的狭いセルを「スモールセル」といい、スモールセルを構成するｅＮＢを「スモールｅＮＢ」という。
【００９２】
マクロｅＮＢは、例えば、非特許文献８に記載される「ワイドエリア基地局（Wide Area Base Station）」であってもよい。
【００９３】
スモールｅＮＢは、例えば、ローパワーノード、ローカルエリアノード、ホットスポットなどであってもよい。また、スモールｅＮＢは、ピコセルを構成するピコｅＮＢ、フェムトセルを構成するフェムトｅＮＢ、ＨｅＮＢ、ＲＲＨ、ＲＲＵ、ＲＲＥまたはＲＮであってもよい。また、スモールｅＮＢは、非特許文献８に記載される「ローカルエリア基地局（Local Area Base Station）」または「ホーム基地局（Home Base Station）」であってもよい。
【００９４】
図７は、マクロｅＮＢとスモールｅＮＢとが混在する場合のセルの構成の概念を示す図である。マクロｅＮＢによって構成されるマクロセルは、比較的広い範囲のカバレッジ１３０１を有する。スモールｅＮＢによって構成されるスモールセルは、マクロｅＮＢによって構成されるマクロセルのカバレッジ１３０１に比べて範囲が狭いカバレッジ１３０２を有する。
【００９５】
複数のｅＮＢが混在する場合、あるｅＮＢによって構成されるセルのカバレッジが、他のｅＮＢによって構成されるセルのカバレッジ内に含まれる場合がある。図７に示すセルの構成では、参照符号「１３０４」または「１３０５」で示されるように、スモールｅＮＢによって構成されるスモールセルのカバレッジ１３０２が、マクロｅＮＢによって構成されるマクロセルのカバレッジ１３０１内に含まれる場合がある。
【００９６】
また、参照符号「１３０５」で示されるように、複数、例えば２つのスモールセルのカバレッジ１３０２が、１つのマクロセルのカバレッジ１３０１内に含まれる場合もある。移動端末（ＵＥ）１３０３は、例えばスモールセルのカバレッジ１３０２内に含まれ、スモールセルを介して通信を行う。
【００９７】
また図７に示すセルの構成では、参照符号「１３０６」で示されるように、マクロｅＮＢによって構成されるマクロセルのカバレッジ１３０１と、スモールｅＮＢによって構成されるスモールセルのカバレッジ１３０２とが複雑に重複する場合が生じる。
【００９８】
また、参照符号「１３０７」で示されるように、マクロｅＮＢによって構成されるマクロセルのカバレッジ１３０１と、スモールｅＮＢによって構成されるスモールセルのカバレッジ１３０２とが重複しない場合も生じる。
【００９９】
さらには、参照符号「１３０８」で示されるように、多数のスモールｅＮＢによって構成される多数のスモールセルのカバレッジ１３０２が、一つのマクロｅＮＢによって構成される１つのマクロセルのカバレッジ１３０１内に構成されるような場合も生じる。
【０１００】
実施の形態１で解決する課題について説明する。図８は、複数のスモールセルによるセル構成の一例を示す図である。図８において、「セル１」〜「セル７」は、スモールセルを示す。各セルを囲む６角形は、各セルのカバレッジを表す。セル１〜セル７の７つのスモールセルは、カバレッジがハニカム状に配置されている。図８では、ＵＥ１４０１が、比較的高速で移動し、地点Ａから地点Ｂに移動する場合を示している。
【０１０１】
通信状態のＵＥ１４０１が、スモールセル間を比較的高速で移動する場合、ＵＥ１４０１が、ＨＯ関連処理において、仮に、測定によって適切なスモールセルを検出したとしても、検出されたスモールセルのＨＯ処理を行っている間に、ＵＥ１４０１が、そのスモールセルを通過してしまうことがある。
【０１０２】
例えば、図８に示すように、第６のスモールセル＃６であるセル６の傘下、すなわちカバレッジ内の地点Ａに存在するＵＥ１４０１が、地点Ａから地点Ｂに、矢印で示す方向に高速で移動する場合を考える。この場合、ＵＥ１４０１は、ＨＯ処理を行っている間に、第１のスモールセル＃１であるセル１を通過し、第３のスモールセル＃３であるセル３のカバレッジ内に移動してしまう。
【０１０３】
第６のスモールセル＃６であるセル６におけるＵＥ１４０１のメジャメントによって、第１のスモールセル＃１であるセル１が適切なスモールセルとして検出され、セル１がＨＯのターゲットセルとなったとしても、ＨＯ処理を行っている間に、ＵＥ１４０１は、既に第３のスモールセル＃３であるセル３に移動する。したがって、ターゲットセルである第１のスモールセル＃１からの受信品質は劣化してしまうことになる。
【０１０４】
これによって、スモールセル間を高速で移動するＵＥは、ターゲットセルへの正常なＨＯ処理を行うことができず、ハンドオーバ失敗（HandOver Failure：ＨＯＦ）または無線リンク失敗（Radio Link Failure：ＲＬＦ）となってしまう。したがって、多数のスモールｅＮＢを設置して、多数のスモールセルを構成する場合、ＵＥの高速移動に対応可能なモビリティ性能を実現することができないという課題がある。
【０１０５】
この課題を解決する方法として、ＵＥが接続されるネットワークを構成する装置（以下「ネットワーク側装置」という場合がある）は、ＵＥの移動速度を用いて導出されたメジャメント対象となるセル（以下「メジャメント対象セル」という場合がある）をＵＥに通知する。ネットワーク側装置（以下「ネットワーク側のエンティティ」または「ネットワーク側のノード」という場合がある）としては、例えばｅＮＢ、ＭＭＥおよびＳ−ＧＷがある。ネットワーク側装置によって構成されるネットワークを介して、複数のＵＥが無線通信を行う。メジャメント対象セルは、通信状況に関する測定（メジャメント（measurement））を行うべきセルである。
【０１０６】
ネットワーク側装置は、ＵＥの移動方向を用いて導出されたメジャメント対象セルをＵＥに通知してもよい。またネットワーク側装置は、ＵＥの移動速度および移動方向の両方を用いて導出されたメジャメント対象セルをＵＥに通知してもよい。またネットワーク側装置は、ＵＥの移動速度および移動方向の一方または両方とＵＥの位置とを用いて導出されたメジャメント対象セルをＵＥに通知してもよい。すなわち、ネットワーク側装置は、ＵＥの位置、移動速度および移動方向の少なくともいずれか１つに基づいて、メジャメント対象セルを導出して、ＵＥに通知する。
【０１０７】
ＵＥの高速移動時には、ＵＥの移動方向および移動速度を考慮したスモールセルが、ＨＯ先のセル（以下「ＨＯ先セル」という場合がある）として選択される。これによって、ＨＯＦおよびＲＬＦの発生を抑えることができる。
【０１０８】
次に、ＵＥの移動方向を用いたメジャメント対象セルの導出方法の具体例を示す。図９は、ＵＥの移動方向を用いたメジャメント対象セルの導出方法の一例を説明するための図である。
【０１０９】
ＵＥ１５０１が、地点Ａから地点Ｂの方向へ移動している場合は、例えば、破線１５０２で囲まれるスモールセルをメジャメント対象セルとする。図９に示す例では、セル３、セル４、セル１１〜セル１３およびセル２５〜セル２９が、メジャメント対象セルとなる。
【０１１０】
メジャメント対象のスモールセルは、ネットワーク側装置によって、ＵＥの移動方向に基づいて導出される。導出されるスモールセルは、少なくとも１つであるが、複数であってもよい。
【０１１１】
各スモールセルにおいて、予め、隣接するセル、または近傍のセル（以下、まとめて「近隣のセル」という場合がある）をグルーピングし、セルグループとして導出することも可能である。
【０１１２】
近隣のスモールセルをセルグループとして導出することによって、１つのセル選択の情報に基づいて近隣のセルを選択することができる。これによって、全体の処理速度を改善することができる。セルグループは、スモールセルクラスタであってもよい。
【０１１３】
次に、ネットワーク側装置が、ＵＥの位置、移動速度および移動方向の少なくともいずれか１つを認識する方法を開示する。
【０１１４】
基地局が、ＵＥの位置、移動速度および移動方向の少なくともいずれか１つを認識する方法の具体例として、以下の（１）〜（４）の４つを開示する。
（１）基地局が、ＵＥの位置、移動速度および移動方向の少なくともいずれか１つを導出する。
（２）ＵＥが、自ＵＥの位置、移動速度および移動方向の少なくともいずれか１つを測定し、基地局に通知する。
（３）コアネットワーク側装置が、ＵＥの位置、移動速度および移動方向の少なくともいずれか１つを導出し、基地局に通知する。
（４）前記（１）〜（３）の組合せ。
【０１１５】
前記具体例（１）について、導出方法の具体例を開示する。基地局が、ＵＥのＨＯの履歴（以下「ＨＯ履歴」という場合がある）を把握し、把握したＨＯ履歴を用いて、ＵＥの移動速度を導出するとよい。
【０１１６】
ＨＯ履歴は、例えば過去のＨＯ回数の情報とする。また、ＨＯ履歴には、ＨＯ完遂時の時間情報を含めてもよい。また、ＨＯ履歴には、ＨＯによってアクセスしたセルの識別子、あるいは、サイズ情報を含めてもよい。ＨＯ完遂時の時間情報と、ＨＯ履歴上のセルのサイズ情報とを用いて、ＵＥの移動速度を導出することができる。
【０１１７】
ＵＥのＨＯ実行時、該ＵＥのＨＯ履歴を、ソースセルからターゲットセルへ通知するとよい。これによって、サービングセルが、ＵＥのＨＯ履歴を保持することが可能となる。
【０１１８】
ＨＯ履歴に含まれるセルの位置情報から、ＵＥの移動方向を導出することができる。セルの位置情報は、Ｘ２インタフェースによるセル間通信を用いてセル間で通知してもよいし、ＭＭＥおよびＯ＆Ｍ（Operations And Maintenance）などの上位装置からセルへ通知してもよい。
【０１１９】
ＨＯ履歴を用いることによって、基地局は、ＵＥの移動速度およびＵＥの移動方向を導出することが可能となる。
【０１２０】
また、ＵＥの位置については、基地局が、ＵＥから送信される信号の到来角（Angle of Arrival：ＡｏＡ）と受信電力とを測定することによって、導出することができる。
【０１２１】
また、ＵＥの移動速度および移動方向の少なくとも一方については、基地局がＵＥの位置を複数の時間にわたって測定することによって導出してもよい。
【０１２２】
前記具体例（２）について、測定方法の具体例を開示する。ＵＥは、ＧＰＳ（Global Positioning System）などを用いて、自ＵＥの位置、移動速度および移動方向を測定するとよい。また、ＵＥは、複数のスモールセルから送信される信号を受信することによって、自ＵＥの位置、移動速度および移動方向を導出してもよい。ＵＥは、予め複数のスモールセルの位置情報を得ておけばよい。複数のスモールセルの位置情報は、サービングセルからＵＥに通知されてもよい。ＵＥは、測定結果を基地局に通知する。
【０１２３】
前記具体例（３）について、測定方法の具体例を開示する。移動体通信システムには、非特許文献９に開示されるように、ＬＣＳ（Location Service）と称される機能が搭載されている。ＬＣＳは、位置情報を用いた商用サービス、無線通信システムの管理、緊急時の位置確認、および犯罪捜査などの法的事由に基づく移動端末装置（ＵＥ）の位置確認などを目的として、ＵＥの位置を推定するための機能である。また、ＵＥの位置推定方法として、例えば非特許文献１０に開示されているＬＰＰ（LTE Positioning Protocol）がある。これらの方法では、ＬＰＰを含むＬＣＳを管理するエンティティであるＥ−ＳＭＬＣ（Evolved Serving Mobile Location Centre）がＵＥの位置情報を管理する。したがって、ＵＥの位置情報は、Ｅ−ＳＭＬＣに通知される。
【０１２４】
コアネットワーク側装置が、ＵＥが自ＵＥの位置情報をＥ−ＳＭＬＣに通知するメッセージを受信して、ＵＥの位置に関する情報を取出すとよい。
【０１２５】
コアネットワーク側装置が、Ｅ−ＳＭＬＣに対して、対象とするＵＥの位置に関する情報を要求し、Ｅ−ＳＭＬＣがコアネットワーク側装置に該情報を提供するようにしてもよい。
【０１２６】
コアネットワーク側装置は、複数の時間におけるＵＥの位置情報を用いて移動速度および移動方向の少なくとも一方を導出するとよい。コアネットワーク側装置は、ＵＥの位置、移動速度および移動方向の少なくともいずれか１つを基地局に通知する。
【０１２７】
メジャメント対象セルを決定するネットワーク側装置であるネットワーク側のエンティティが基地局である場合、前述の基地局が、ＵＥの位置、移動速度および移動方向の少なくともいずれか１つを認識する方法を適用すればよい。
【０１２８】
メジャメント対象セルを決定するネットワーク側装置であるネットワーク側のエンティティが、コアネットワーク側装置である場合、基地局が、前述の具体例（１），（２）を適用して得たＵＥの位置、移動速度および移動方向の少なくともいずれか１つを、コアネットワーク側装置に通知するとよい。あるいは前述の具体例（３）を用いて、コアネットワーク側装置が、ＵＥの位置、移動速度および移動方向の少なくともいずれか１つを導出するようにしてもよい。
【０１２９】
前記具体例（２）のＵＥが測定した位置、移動速度、移動方向の測定結果を基地局に通知する方法を開示する。
【０１３０】
基地局は、ＵＥの位置、移動速度および移動方向の少なくともいずれか１つの測定結果の報告を要求する情報（以下「報告要求」という場合がある）を含めたメジャメント設定（measurement configuration）メッセージを、ＵＥに通知する。メジャメント設定メッセージは、メジャメントの設定（以下「メジャメント設定」という場合がある）を表す情報を含む。
【０１３１】
前記メジャメント設定メッセージを受信したＵＥは、自ＵＥの位置、移動速度および移動方向の少なくともいずれか１つの情報を含めたメジャメント報告（measurement report）メッセージを、基地局に通知する。メジャメント報告の中のメジャメント結果として含めてもよい。
【０１３２】
このようにすることによって、ＵＥは、測定した自ＵＥの位置、移動速度および移動方向の測定結果を基地局に通知することができる。また、基地局は、ＵＥの位置、移動速度および移動方向を認識することができる。
【０１３３】
前述の方法として、従来の規格で決められている位置情報通知方法（非特許文献１１参照）を用いてもよい。基地局は、メジャメント設定メッセージの中の「includeLocation」パラメータに「true」をセットしてＵＥに通知する。このメジャメント設定メッセージを受信したＵＥは、メジャメント報告メッセージの中に「locationinfo」パラメータを含めて基地局に通知する。このとき、「locationinfo」パラメータの中に、ＵＥの位置および移動速度の少なくとも一方の情報を含める。これに、移動方向の情報を含めてもよい。
【０１３４】
しかし、従来の規格を適用した方法では、基地局はＵＥに対して、メジャメント対象となる周波数レイヤ（以下「メジャメント対象周波数レイヤ」という場合がある）のセルの受信電力または受信品質の測定結果に加えて、ＵＥの位置、移動速度および移動方向の少なくともいずれか１つを要求しなければならない。したがって、ＵＥは、メジャメント対象周波数レイヤのセルの受信電力または受信品質の測定結果によるメジャメント報告のトリガが発生しない限り、自ＵＥの位置、移動速度および移動方向の少なくともいずれか１つを、基地局に通知することはできないという問題がある。
【０１３５】
この問題を解決するための他の方法を開示する。メジャメント対象周波数レイヤのセルの受信電力または受信品質の測定結果の報告とは無関係に、ＵＥの位置、移動速度および移動方向の少なくともいずれか１つの測定結果の報告を要求するメジャメント設定（measurement configuration）メッセージを設ける。また、メジャメント設定メッセージの応答として、メジャメント対象周波数レイヤのセルの受信電力または受信品質の測定結果の報告とは無関係に、ＵＥの位置、移動速度および移動方向の少なくともいずれか１つの情報を含めたメジャメント報告（measurement report）メッセージを設ける。
【０１３６】
基地局は、該ＵＥの位置、移動速度および移動方向の少なくともいずれか１つの測定結果の報告を要求するメジャメント設定（measurement configuration）メッセージを、ＵＥに通知する。
【０１３７】
メジャメント設定メッセージを受信したＵＥは、自ＵＥの位置、移動速度および移動方向の少なくともいずれか１つの情報を含むメジャメント報告（measurement report）メッセージを、基地局に通知する。前記情報をメジャメント結果パラメータにしてもよい。
【０１３８】
このようにすることによって、ＵＥは、測定した自ＵＥの位置、移動速度、移動方向の測定結果を、メジャメント対象周波数レイヤのセルの受信電力または受信品質の測定結果の報告とは無関係に、基地局に通知することができる。また、基地局は、ＵＥの位置、移動速度および移動方向について認識することができる。
【０１３９】
この方法によって、基地局は、適当なタイミングで、ＵＥの位置、移動速度および移動方向の少なくともいずれか１つの情報を取得することが可能となる。メジャメント対象セルの測定結果が必要なタイミングではなく、ＵＥの位置、移動速度および移動方向の少なくともいずれか１つの情報が必要なタイミングで、ＵＥの位置、移動速度および移動方向の少なくともいずれか１つの情報を取得することが可能となる。
【０１４０】
これは、本実施の形態で開示した、ネットワーク側装置が、ＵＥの位置、移動速度および移動方向の少なくともいずれか１つを用いてメジャメント対象セルを決定し、該メジャメント対象セルをＵＥへ通知する方法に適する。基地局は、メジャメント対象セルの測定をＵＥに通知するよりも前に、ＵＥの位置、移動速度および移動方向の少なくともいずれか１つのみを得られるからである。
【０１４１】
ＵＥの位置、移動速度および移動方向は、メジャメント設定メッセージおよびメジャメント報告メッセージとしてではなく、他のＲＲＣメッセージとして通知されてもよい。たとえば、ＲＲＣシグナリングによって、ＵＥと基地局との間で通知されればよい。他のＲＲＣメッセージとした場合でも、メジャメント設定メッセージおよびメジャメント報告メッセージの場合と同様の効果を得ることができる。
【０１４２】
図１０は、本発明の実施の形態１における通信システムのシーケンスの一例を示す図である。
【０１４３】
図１０では、ＵＥのメジャメント対象セルを導出するネットワーク側ノードを基地局（ｅＮＢ）とする。また、基地局が、ＵＥの位置、移動速度および移動方向の少なくともいずれか１つを認識する方法を、ＵＥが位置、移動速度および移動方向の少なくともいずれか１つを測定して基地局に通知する方法とする。また、メジャメント対象周波数レイヤのセルの受信電力または受信品質の測定結果の報告とは無関係にＵＥの位置、移動速度および移動方向の少なくともいずれか１つの測定結果の報告を要求するメジャメント設定（measurement configuration）メッセージ、および、メジャメント対象周波数レイヤのセルの受信電力または受信品質の測定結果の報告とは無関係にＵＥの位置、移動速度および移動方向の少なくともいずれか１つの情報を含めたメジャメント報告（measurement report）メッセージを設ける方法とする。ＵＥは、ＨＯ元セルであるソースセルの傘下に存在し、ソースセルとＲＲＣ接続状態であるとする。
【０１４４】
ステップＳＴ３２０１において、ソースセルを構成するソースｅＮＢは、ＵＥに、メジャメント設定（Measurement Configuration）メッセージを通知する。このメジャメント設定メッセージは、ＵＥの位置、移動速度および移動方向の少なくともいずれか１つの測定結果の報告のみを要求するメッセージとする。ステップＳＴ３２０１では、ソースｅＮＢは、ＵＥに対して、メジャメント対象セルの測定のための要求を通知しない。
【０１４５】
ステップＳＴ３２０１でメジャメント設定メッセージを受信したＵＥは、ステップＳＴ３２０２において、自ＵＥの位置、移動速度および移動方向の少なくともいずれか１つの測定を行う。
【０１４６】
ＵＥの位置、移動速度および移動方向の少なくともいずれか１つの測定は、ステップＳＴ３２０１のメジャメント設定メッセージの受信をトリガとして行ってもよいし、ＵＥが定期的または周期的に行ってもよい。
【０１４７】
ステップＳＴ３２０３において、ＵＥは、ステップＳＴ３２０２の測定によって得られた最新の自ＵＥの位置、移動速度および移動方向の少なくともいずれか１つの情報をメジャメント結果として、メジャメント報告（Measurement Report）メッセージによって、ソースｅＮＢに通知する。
【０１４８】
ソースｅＮＢは、ステップＳＴ３２０３でメジャメント報告メッセージを受信することによって、ＵＥの位置、移動速度および移動方向の少なくともいずれか１つの情報を取得することができる。
【０１４９】
ステップＳＴ３２０４において、ソースｅＮＢは、取得したＵＥの位置、移動速度および移動方向の少なくともいずれか１つの情報を用いて、ＵＥのメジャメント対象セルを導出する。これによって、ＵＥの位置、移動速度および移動方向の少なくともいずれか１つに適したメジャメント対象セルを導出することができる。
【０１５０】
また、メジャメント対象セルのキャリア周波数、または周波数帯域を導出してもよい。これは、例えば、導出したメジャメント対象セルまたはクラスタを固有の周波数キャリア（「周波数レイヤ」とも称する）で構成した場合などに適する。
【０１５１】
ステップＳＴ３２０５において、ソースｅＮＢは、ＵＥに対して、メジャメント設定メッセージを通知する。ステップＳＴ３２０５におけるメジャメント設定メッセージには、ステップＳＴ３２０４で導出したメジャメント対象セルの情報（以下「メジャメント対象セル情報」という場合がある）を含ませる。メジャメント対象セル情報としては、セルのキャリア周波数、セルを識別するための識別情報（以下「セル識別情報」という場合がある）とするとよい。また、セルのキャリア周波数のバンド情報を含めてもよい。セル識別情報としては、セルの識別子（以下「セル識別子」という場合がある）、例えば、ＰＣＩ、ＣＧＩまたはＥＣＧＩとするとよい。また、メジャメント対象セル情報は、ネットワーク側装置が、予めＵＥに与える仮想的なセル識別子であってもよい。
【０１５２】
ステップＳＴ３２０５におけるメジャメント設定メッセージに、ＵＥの位置、移動速度および移動方向の少なくともいずれか１つの測定結果の報告要求の情報を含めてもよい。これによって、従来のメジャメント設定メッセージを適用することができる。
【０１５３】
ステップＳＴ３２０５でメジャメント設定メッセージを受信したＵＥは、ステップＳＴ３２０６において、該メジャメント設定メッセージに基づいて、メジャメントを行う。また、該メジャメント設定メッセージに、ＵＥの位置、移動速度および移動方向の少なくともいずれか１つの測定結果の報告要求の情報が含まれる場合は、ＵＥは、該情報に従い、自ＵＥの位置、移動速度および移動方向の少なくともいずれか１つの測定を行う。
【０１５４】
ＵＥでメジャメント報告のトリガが発生した場合、ステップＳＴ３２０７において、ＵＥは、ソースｅＮＢに対して、メジャメント報告メッセージを通知する。メジャメント報告メッセージには、メジャメント報告の対象となるセル（以下「メジャメント報告対象セル」という場合がある）の情報と、メジャメント報告対象セルの受信電力または受信品質の情報とを含ませる。メジャメント報告対象セルは、報告対象セルに相当する。
【０１５５】
メジャメント報告対象セルの情報としては、メジャメント報告対象セルのセル識別子とするとよい。また、メジャメント報告対象セルの情報には、セルのキャリア周波数、または、キャリア周波数のバンド情報を含めてもよい。セル識別子としては、ＰＣＩ、ＣＧＩまたはＥＣＧＩとするとよい。また、メジャメント報告対象セルの情報は、ネットワーク側装置が、予めＵＥに与える仮想的なセル識別子であってもよい。
【０１５６】
ステップＳＴ３２０５におけるメジャメント設定メッセージに、ＵＥの位置、移動速度および移動方向の測定結果の報告要求の情報が存在する場合、ＵＥは、ステップＳＴ３２０７において、メジャメント報告メッセージに、自ＵＥの最新の位置、移動速度および移動方向の少なくともいずれか１つの情報を含める。
【０１５７】
ステップＳＴ３２０７でメジャメント報告メッセージを受信したソースｅＮＢは、ステップＳＴ３２０８において、メジャメント報告対象セルの受信電力または受信品質情報、ならびに、ＵＥの位置、移動速度および移動方向の少なくともいずれか１つの情報を用いて、ＨＯを実行するか否かを決定し、ＨＯを実行すると決定した場合、ＨＯ先セルであるターゲットセルを決定する。
【０１５８】
このようにすることによって、ソースｅＮＢは、ＵＥの位置、移動速度および移動方向の少なくともいずれか１つに適したセルをターゲットセルとして決定することが可能となる。
【０１５９】
ステップＳＴ３２０９において、ソースｅＮＢは、ターゲットセルを構成するターゲットｅＮＢに対して、ＨＯ対象のＵＥに関するＨＯ要求（HO request）メッセージを通知する。また、このとき、ＵＥに関する情報も併せて通知する。
【０１６０】
ステップＳＴ３２１０において、ターゲットｅＮＢは、ＵＥのアドミッション制御を実行する。ＨＯを受入可能な場合、ターゲットｅＮＢは、ステップＳＴ３２１１において、ソースｅＮＢに対して、ＨＯ要求応答（HO request Ack）メッセージを通知する。
【０１６１】
ステップＳＴ３２１２において、ソースｅＮＢは、ＵＥに対して、ＨＯ指示（HO command）メッセージを通知する。
【０１６２】
ステップＳＴ３２１２でＨＯ指示メッセージを受信したＵＥは、ステップＳＴ３２１３において、ターゲットｅＮＢに対してＨＯ処理を実行する。また、ステップＳＴ３２１３では、ネットワーク側装置であるＭＭＥおよびＳ−ＧＷにおいてもＨＯ処理が実行される。
【０１６３】
本実施の形態で開示した方法を用いてＨＯ処理を実行することによって、ソースｅＮＢは、ＵＥの位置、移動速度および移動方向の少なくともいずれか１つに適したターゲットセルを選択することが可能となる。これによって、ＨＯ関連処理中のＨＯＦまたはＲＬＦを削減することが可能となる。
【０１６４】
また、ＵＥにおいて、メジャメント対象となるセルが特定されるので、メジャメント対象を削減することが可能となる。これによって、ＵＥの処理負荷を削減することができるので、消費電力を削減することが可能となる。また、測定を短時間で実行することが可能となるので、ＨＯ関連処理における遅延時間を低減することが可能となる。ＨＯ関連処理の遅延時間を低減することによって、ＨＯＦまたはＲＬＦを削減することができる。
【０１６５】
ＵＥからネットワーク側装置へのメジャメント報告として、以下の情報を通知してよい。メジャメント報告として、徒歩、車、電車などのＵＥの移動方法を通知してもよい。移動方法を通知することによって、移動方向を絞込むことが可能となる。
【０１６６】
例えば、ネットワーク側装置は、移動方法が電車またはバスである場合は、路線情報を有する装置とする。ネットワーク側装置は、ＵＥからの移動手段と、上りおよび下りの情報とを得ることによって、移動方向の路線沿いのスモールセルを導出すればよい。あるいは、線路沿いのスモールセルグループを設定すればよい。
【０１６７】
移動方法が車である場合は、高速道路での走行か否かの情報を通知してもよい。ネットワーク側装置は、高速道路か否かの情報と、上りまたは下りのどちらの方向かの情報とを得ることによって、高速道路沿いのスモールセルを導出すればよい。あるいは、高速道路沿いのスモールセルグループを設定すればよい。これによって、メジャメント対象セルの絞込みが可能となる。
【０１６８】
メジャメント報告としては、ビルなどの階層を判定可能な情報、例えば階層の情報を通知してもよい。階層の情報ではなく、高度の情報であってもよい。
【０１６９】
また、移動方向の情報は、横方向の情報でなく、上階層への移動か、下階層への移動かの情報を別途報告できるようにする。
【０１７０】
同一階層を移動している場合には、同一階層でＨＯを実行できるように、同一階層のセルのみのメジャメントを行う。別階層への移動に関する情報は送らない。
【０１７１】
別階層へ移動するときは、その情報、すなわち別階層への移動に関する情報をメジャメント報告で通知する。例えば、エスカレータまたはエレベータに乗車時に、上りまたは下りを判断する装置をＵＥが具備し、階層移動のメジャメント報告を行う。ネットワークは、上りまたは下りを確認し、移動方向にあった、スモールセルのみをメジャメント対象に設定する。
【０１７２】
図１１は、別階層へ移動する場合のメジャメント報告の一例を説明するための図である。図１１に示す例では、３階には、セル１〜セル５の５つのスモールセルが設置され、２階には、セル６〜セル１０の５つのスモールセルが設置され、１階には、セル１１〜セル１５の５つのスモールセルが設置されている。ＵＥ１６０１が、２階の上りエスカレータ１６０４上の地点Ａから、３階のセル４の地点Ｂに移動する場合、２階から３階に移動したことが、通知される。
【０１７３】
各階層の上りエスカレータ１６０２，１６０４，１６０６を上って、上階層に移動する場合、および各階層の下りエスカレータ１６０３，１６０５，１６０７を下って、下階層に移動する場合、それぞれ、別階層への移動に関する情報が通知される。
【０１７４】
以上のようにすることによって、建屋内の同一階層を移動するときには、同一階層のセルのみをＨＯの対象とし、階層間を移動するときには、移動先のセルのみをＨＯの対象とすることができる。
【０１７５】
移動方法の検出方法を以下に説明する。乗り物の入り口で、ＬＴＥまたはＬＴＥ−Ａとは異なる他の方法で、乗車したことを検出する。例えば、定期券、切符の改札機と連動して乗り物の情報を取得する。移動方法が車である場合、カーナビゲーション、セキュリティシステムなどと連動させて乗り物の情報を取得する。
【０１７６】
ＵＥが、自ＵＥが移動するときの振動を感知して、その振動のリズムによって、移動方法を判断する手段を有する例を以下に示す。
【０１７７】
図１２〜図１４は、移動方法の違いによる、振動のリズムの違いの一例を示す図である。図１２は、人が歩くとき、または走るときの振動のリズムを示すグラフである。図１３は、タイヤが路面を走行するときの振動のリズムを示すグラフである。図１３に示すタイヤが路面を走行するときの振動のリズムは、自動車または単車のエンジンが動作するときの振動と同様のリズムを示す。図１４は、電車の車輪がレールの継ぎ目を通過するときに発生する振動のリズムを示すグラフである。図１２〜図１４において、縦軸は振動の振幅を示し、横軸は時間を示す。
【０１７８】
ＵＥは、図１２〜図１４に示すような振動のリズムの違いを認識する手段を有し、電車などによる移動方法の違いを判断する。また、ＵＥは、加速度センサーを備え、加速度センサーによって測定された加速度の数値をネットワーク側装置、例えばｅＮＢに報告してもよい。ｅＮＢなどのネットワーク側装置は、ＵＥから報告される加速度の数値の違いに基づいて、移動方法を判断することができる。
【０１７９】
移動方法の通知方法について説明する。ＵＥは、状態が変化したタイミングで、移動方法をｅＮＢに通知する。ＵＥは、定期的に移動方法の報告を行ってもよい。
【０１８０】
これらの情報のメジャメント報告は、メジャメント対象周波数レイヤのセルの受信電力または受信品質の測定結果のメジャメント報告に含めて行ってもよいし、ＵＥの位置、移動速度および移動方向の少なくともいずれか１つのメジャメント報告に含めて行ってもよい。また、メジャメント対象周波数レイヤのセルの受信電力または受信品質の測定結果のメジャメント報告、ならびにＵＥの位置、移動速度および移動方向の少なくともいずれか１つのメジャメント報告とは無関係に行ってもよい。
【０１８１】
また、ネットワーク側装置は、ＵＥに対して、これらの情報のメジャメント報告を要求するメッセージを通知してもよい。該メッセージを受信したＵＥは、メジャメント報告を行うようにしてもよい。
【０１８２】
これらの情報を用いてメジャメント対象セルが導出されることによって、よりＵＥの状態に最適なメジャメント対象セルを導出することが可能となる。ＵＥがこれらの情報をネットワーク側装置に通知することによって、ネットワーク側装置は、これらの情報を用いて、該ＵＥにとって最適なメジャメント対象セルを導出することができ、該メジャメント対象セルをＵＥに通知することが可能となる。
【０１８３】
これによって、ＵＥは、さらに最適なメジャメント対象セルに絞ることが可能となるので、ＨＯ関連処理中のＨＯＦまたはＲＬＦをさらに削減することが可能となる。また、メジャメント対象をさらに削減することができるので、ＵＥの消費電力のさらなる削減が可能となる。また、測定をさらに短時間で実行することが可能となるので、ＨＯ関連処理における遅延時間を低減することができ、ＨＯＦまたはＲＬＦのさらなる削減が可能となる。
【０１８４】
以上のように本実施の形態によれば、ネットワーク側装置、例えば基地局装置によって、ＵＥの位置、移動速度および移動方向の少なくとも１つに基づいて、メジャメント対象セルがＵＥに通知される。これによって、ＵＥは、複数のセルのうち、自ＵＥの位置、移動速度および移動方向の少なくともいずれか１つに適したメジャメント対象セルから、ターゲットセルを選択することが可能となる。例えば、ＵＥが比較的高速でスモールセル間を移動する場合でも、適切なターゲットセルを選択することが可能となる。
【０１８５】
これによって、ＨＯＦまたはＲＬＦを削減することが可能となる。また、例えＨＯＦまたはＲＬＦが生じた場合でも、ＵＥに最も良好なセルを選択させることが可能となるので、ＵＥは、ＨＯＦ状態またはＲＬＦ状態から速やかに復帰することが可能となる。したがって、多数のスモールｅＮＢによって多数のスモールセルが構成されて、ＵＥが比較的高速でスモールセル間を移動する場合でも、ＵＥの移動に対応可能なモビリティ（mobility）性能を有する通信システムを実現することができる。
【０１８６】
実施の形態１  変形例１．
本実施の形態１の変形例１は、ｅＮＢなどのネットワーク側装置がＵＥに対して、メジャメント対象セルを通知しなくてもよい方法について説明する。
【０１８７】
前述の実施の形態１では、ネットワーク側装置において、ＵＥの移動速度を用いて、メジャメント対象セルを決定して、ＵＥへ通知している。しかし、これでは、ＵＥ毎にメジャメント対象セルを決定し、通知する必要があるので、ネットワーク側装置の負担が大きくなるという問題がある。
【０１８８】
実施の形態１の変形例１では、この問題を解決するために、複数の閾値を有するメジャメントイベントを新設する。ｅＮＢは、複数の閾値を有するメジャメントイベントを用いて、ＵＥへ、メジャメント設定メッセージを通知する。これによって、ＵＥの移動速度に適したメジャメント設定メッセージを通知することが可能となる。メジャメントイベントは、選択基準に相当する。
【０１８９】
複数の閾値を有するメジャメントイベントの具体例を、以下に説明する。従来では、周辺セルの受信品質が閾値よりも大きい場合にメジャメントイベントが発生するイベントが存在する（非特許文献１１参照）。
【０１９０】
図１５は、報告対象となる受信品質の領域の一例を示すグラフである。本変形例では、新たに、図１５に示すように、受信品質を表すパラメータ、例えば受信電力が、予め定める第１閾値Ｑ１以下であり、かつ、受信品質を表すパラメータ、例えば受信電力が、予め定める第２閾値Ｑ２以上である場合に、メジャメントイベントが発生するイベントを新設する。第１閾値Ｑ１は、第２閾値Ｑ２よりも大きい値に選ばれる。
【０１９１】
このように、受信品質を表すパラメータが第１閾値Ｑ１よりも大きい受信品質でのイベント発生を除外することによって、サービングセルの直近のセルを除いた周辺セルに対して、メジャメントイベントを発生させることができる。例えば、後述する図１９に示す例において、サービングセルをセル１とした場合、サービングセルの直近のセルであるセル２〜セル７を除いた周辺セルに対して、メジャメントイベントを発生させることができる。
【０１９２】
これによって、ネットワーク側装置が、ＵＥからのメジャメント報告（Measurement Report）メッセージに基づいてハンドオーバ先を決定するとき、サービングセルの直近のスモールセルを選択し、移動するＵＥに対してハンドオーバ処理を行っている間に、選択した直近のセルをＵＥが通過してしまうことを防ぐことができる。
【０１９３】
図１６は、本発明の実施の形態１の変形例１におけるＵＥ５０の構成を示すブロック図である。ＵＥ５０は、アンテナ５１、品質測定部５２、比較部５３およびメジャメント報告通知部５４を備えて構成される。
【０１９４】
アンテナ５１は、周辺セルからの下り参照信号を受信し、受信した下り参照信号を品質測定部５２に与える。品質測定部５２は、アンテナ５１によって受信された各セルからの下り参照信号を復調して、受信品質を測定する。品質測定部５２は、測定した受信品質を品質情報として比較部５３に与える。
【０１９５】
比較部５３は、品質測定部５２から与えられた品質情報と、ｅＮＢなどのネットワーク側装置から通知されるか、または予めＵＥ５０の内部で記憶している閾値とを比較する。閾値は、例えば前述の図１５に示す第１閾値Ｑ１および第２閾値Ｑ２である。比較部５３は、比較結果をメジャメント報告通知部５４に与える。
【０１９６】
メジャメント報告通知部５４は、比較部５３から与えられた比較結果に基づいて、メジャメント情報をＵＥ５０から通知するのに適切な受信品質か否かを判断し、適切であると判断した場合、アンテナ５１を介して、ｅＮＢにメジャメント報告（Measurement Report）メッセージを通知する。
【０１９７】
次に、ＵＥ５０の具体的な動作を説明する。例えば図１０のステップＳＴ３２０１〜ステップＳＴ３２０３の処理によって、ｅＮＢは、ＵＥの移動速度の情報を得る。
【０１９８】
ｅＮＢは、該ＵＥの移動速度に適した複数の閾値を有するメジャメントイベントを選択する。ｅＮＢは、併せて該イベントの中の閾値を選択してもよい。
【０１９９】
図１６に示すＵＥ５０は、ｅＮＢから、選択したメジャメントイベントを含むメジャメント設定（measurement configuration）メッセージが通知されると、アンテナ５１によって、周辺セルの参照信号（Reference Signal）を受信する。
【０２００】
アンテナ５１によって受信された参照信号は、品質測定部５２によって復調され、信号対干渉雑音比（Signal to Interference and Noise Ratio：ＳＩＮＲ）などの受信品質を表すパラメータ（以下、単に「受信品質」という場合がある）が測定される。品質測定部５２で測定された品質情報は、比較部５３に与えられる。
【０２０１】
比較部５３では、例えば、図１５に示すように、受信品質が第１閾値Ｑ１以下であり、かつ受信品質が第２閾値Ｑ２以上であるか否かが判定される。受信品質が第１閾値Ｑ１以下でかつ第２閾値Ｑ２以上の条件を満たしていれば、メジャメント報告通知部５４によって、メジャメント報告（Measurement Report）メッセージがｅＮＢに通知される。受信品質が前記条件を満たしていなければ、メジャメント報告（Measurement Report）メッセージは、メジャメント報告通知部５４によってｅＮＢに通知されない。
【０２０２】
これによって、ｅＮＢは、メジャメント報告（Measurement Report）メッセージが通知されてきた場合にのみ、メジャメント報告メッセージに基づいてＨＯ先を決定するので、ＨＯ先の判定処理の量を減らすことができる。
【０２０３】
また、ネットワーク側装置がＵＥに対してメジャメント対象セルを通知しなくても、ＵＥ側から、通知すべきセルのメジャメント報告（Measurement Report）メッセージが通知される。これによって、ｅＮＢなどのネットワーク側装置における、メジャメント対象セルの選択、および該メジャメント対象セルのＵＥへの通知処理が不要となる。したがって、ｅＮＢなどのネットワーク側装置の処理負荷を軽減することができる。
【０２０４】
以上のように本実施の形態によれば、ＵＥの位置、移動速度および移動方向の少なくともいずれか１つに基づいて、複数のセルのうち、通信状況に関する測定結果を報告すべきメジャメント報告対象セルが選択され、選択されたメジャメント報告対象セルの測定結果が、ＵＥから基地局装置に報告される。これによって、ＵＥは、複数のセルのうち、自ＵＥの位置、移動速度および移動方向の少なくともいずれか１つに適したターゲットセルを選択することが可能となる。例えば、ＵＥが比較的高速でスモールセル間を移動する場合でも、適切なターゲットセルを選択することが可能となる。
【０２０５】
したがって、ＨＯＦまたはＲＬＦを削減することが可能となる。また、例えＨＯＦまたはＲＬＦが生じた場合でも、ＵＥに最も良好なセルを選択させることが可能となるので、ＵＥは、ＨＯＦ状態またはＲＬＦ状態から速やかに復帰することが可能となる。したがって、多数のスモールｅＮＢによって多数のスモールセルが構成されて、ＵＥが比較的高速でスモールセル間を移動する場合でも、ＵＥの移動に対応可能なモビリティ（mobility）性能を有する通信システムを実現することができる。また、ネットワーク側装置から通信状況に関する測定を行うべきメジャメント対象セルをＵＥに通知する必要がないので、ネットワーク側装置の処理負荷を軽減することができる。
【０２０６】
本実施の形態の方法は、ＵＥの移動速度だけでなく、移動方向または位置に対して適用してもよい。すなわち、ｅＮＢなどのネットワーク側装置は、ＵＥがメジャメント報告対象セルを選択する基準となる選択基準として、ＵＥの位置、移動速度および移動方向に応じて異なる複数の選択基準を有し、ＵＥの位置、移動速度および移動方向の少なくともいずれか１つに基づいて、複数の選択基準の中から、使用する選択基準を決定し、決定した選択基準をＵＥに通知すればよい。ＵＥは、ネットワーク側装置から通知される選択基準に基づいて、メジャメント報告対象セルを選択すればよい。これによって、前述のようにＨＯ先の判定処理の量を減らすことができる。またｅＮＢなどのネットワーク側装置の処理負荷を軽減することができる。
【０２０７】
実施の形態１  変形例２．
前述の実施の形態１および実施の形態１の変形例１では、ｅＮＢなどのネットワーク側装置がＵＥの移動速度を把握する必要がある。したがって、ＵＥが、自ＵＥの移動速度をｅＮＢへ通知することによる遅延などの制御遅延が発生するという問題がある。また、ｅＮＢが該ＵＥの移動速度を測定する必要があるので、ｅＮＢの処理負荷が高くなるという問題がある。
【０２０８】
実施の形態１の変形例２では、これらの問題を解決するために、ＵＥの移動速度と対応付けたメジャメントイベントを新設する。ｅＮＢは、ＵＥの移動速度と対応付けたメジャメントイベントを用いて、ＵＥへ、メジャメント設定を通知する。ｅＮＢは、該メジャメントイベントを含むメジャメント設定メッセージをＵＥに通知することによって、メジャメント設定をＵＥに通知する。
【０２０９】
ＵＥは自ＵＥの移動速度を確認する。ＵＥは、サービングセルから受信したメジャメント設定メッセージの中から、自ＵＥの移動速度に適したメジャメントイベントを選択する。
【０２１０】
ＵＥは、品質情報だけでなく、自ＵＥの移動速度も考慮して、ｅＮＢなどのネットワーク側装置に対して、必要なメジャメント対象セルのメジャメント報告（Measurement Report）メッセージを通知する。
【０２１１】
ＵＥの移動速度の程度、例えば低速移動、高速移動などと対応付けたメジャメントイベントの具体例として、以下の（１），（２）の２つを開示する。ここで、「低速」とは、比較的低い速度をいい、「高速」とは、比較的高い速度をいう。
（１）低速移動用のメジャメントイベント、高速移動用のメジャメントイベントを新設する。
（２）移動用のメジャメントイベントを新設し、イベント中の閾値を低速移動用の閾値、高速移動用の閾値とする。
【０２１２】
ＵＥの移動速度との対応付けをＵＥへ通知する方法の具体例として、以下の（１），（２）の２つを開示する。
（１）ＵＥの移動速度との対応付けを静的に決定したメジャメントイベントを新設する。例えば、低速用のメジャメントイベント、高速用のメジャメントイベントなどである。
（２）ＵＥの移動速度との対応付けを、メジャメント設定メッセージの通知のときに合わせて通知する。
【０２１３】
ＵＥは、自ＵＥの移動速度に適したイベントの設定に則し、イベントの条件を満たす場合にのみ、イベントをネットワーク側装置、例えばｅＮＢに発行する。
【０２１４】
図１７は、報告対象となる受信品質の領域の一例を示すグラフである。例えば、図１７では、前述のＵＥの移動速度の程度と対応付けたメジャメントイベントの具体例（２）を用いた場合の、ＵＥの移動速度と対応付けたメジャメントイベントを示している。低速移動用の閾値として、低速移動用閾値Ｑ１１、高速移動用の閾値として、高速移動用閾値Ｑ１２、低速移動用および高速移動用のどちらにも対応付ける閾値として、第２閾値Ｑ２を設定する。
【０２１５】
低速移動のＵＥでは、受信品質、例えば受信電力が、低速移動用閾値Ｑ１１以下でかつ、高速移動用閾値Ｑ１２を超える場合、すなわち図１７の低速時報告領域Ｒ１２において、メジャメントイベントが発生する。
【０２１６】
高速移動のＵＥでは、受信品質、例えば受信電力が、高速移動用閾値Ｑ１２以下でかつ第２閾値Ｑ２以上である場合、すなわち図１７の高速時報告領域Ｒ１１において、メジャメントイベントが発生する。
【０２１７】
低速移動用の閾値と高速移動用の閾値とを分別することで、イベント発生の動作を異ならせることが可能となる。したがって、ＵＥは、自ＵＥの移動速度も考慮して、必要なメジャメント対象セルのメジャメント報告（Measurement Report）メッセージをｅＮＢなどのネットワーク側装置に対して通知することが可能となる。
【０２１８】
図１８は、本発明の実施の形態１の変形例２におけるＵＥ６０の構成を示すブロック図である。ＵＥ６０は、アンテナ６１、復調部６２、品質測定部６３、移動速度測定部６４、比較部６５およびメジャメント報告通知部６６を備えて構成される。
【０２１９】
復調部６２は、アンテナ６１を介して受信した下りリンク信号を復調する。復調部６２は、復調した信号（以下「復調信号」という場合がある）を品質測定部６３および移動速度測定部６４に与える。
【０２２０】
品質測定部６３は、推定伝送路特性、受信信号の振幅、受信信号の電力、受信信号の振幅および電力の分散などの復調した結果を示す復調信号に基づいて、ＳＩＮＲなどの信号品質を受信品質として測定する。品質測定部６３は、測定した信号品質を品質情報として比較部６５に与える。
【０２２１】
移動速度測定部６４は、前記復調した結果を示す復調信号に基づいて、ＵＥの移動速度を測定する。具体的には、移動速度測定部６４は、ＵＥの移動速度が低速か、または高速かの判断をする。移動速度測定部６４は、測定したＵＥの移動速度、またはＵＥの移動速度が低速か、高速かの判断結果を比較部６５に与える。
【０２２２】
比較部６５は、品質測定部６３から与えられた品質情報と、ネットワーク側装置、例えばｅＮＢから通知されるか、または、予めＵＥ６０の内部で記憶している閾値とを比較する。閾値は、前述の図１７に示すように、低速用と高速用とで、異なっていてもよい。比較部６５は、比較結果をメジャメント報告通知部６６に与える。
【０２２３】
メジャメント報告通知部６６は、比較部６５から与えられた比較結果に基づいて、メジャメント情報をＵＥ６０から通知するのに適切な受信品質か否かを判断し、アンテナ６１を介して、ｅＮＢにメジャメント報告（Measurement Report）メッセージを通知する。
【０２２４】
次に、ＵＥ６０を用いた場合の具体的な動作を説明する。例えば前述の図１０のステップＳＴ３２０１〜ステップＳＴ３２０４において、ｅＮＢは、ＵＥの移動速度の情報を得るためのシグナリングおよび処理が不要となる。
【０２２５】
ｅＮＢは、ＵＥへ、ＵＥの移動速度と対応付けられたメジャメント設定（measurement configuration）メッセージを通知する。
【０２２６】
アンテナ６１によって受信された受信信号である参照信号（Reference Signal）は、復調部６２において復調され、品質測定部６３において、ＳＩＮＲなどの信号品質が受信品質として測定される。
【０２２７】
また、移動速度測定部６４において、ＵＥ６０の移動速度が測定される。移動速度の測定方法は、これに限らず、ＧＰＳを用いる方法などであってもよい。ＵＥ６０の移動速度の測定結果を用いて、ＵＥ６０が高速移動しているか、低速移動しているかを判断する。移動速度が高速か低速か（以下「移動速度の高速／低速」という場合がある）は、ｅＮＢなどのネットワーク側装置からＵＥ６０へ、移動速度情報を通知するようにして、ＵＥ６０が移動速度情報を用いることによって判断してもよい。
【０２２８】
ＵＥ６０への移動速度情報の通知には、ＲＲＣシグナリングを用いてもよいし、新たにＵＥ６０の移動速度情報の通知用のＲＲＣシグナリングを設けて、該ＲＲＣシグナリングを用いて通知してもよい。
【０２２９】
ＵＥ６０は、サービングセルから受信したメジャメント設定メッセージの中から、自ＵＥ６０の移動速度に適したメジャメントイベントを選択する。自ＵＥ６０の移動速度に適した閾値を選択してもよい。
【０２３０】
品質測定部６３において測定された品質情報と、移動速度測定部６４において測定された移動速度が高速移動か低速移動か（以下「高速移動／低速移動」という場合がある）の判断結果は、比較部６５に与えられる。
【０２３１】
比較部６５において、例えば図１７に示す高速移動用閾値Ｑ１２と、低速移動用閾値Ｑ１１とを用いて、高速移動の場合は、受信品質が高速移動用閾値Ｑ１２以下で、第２閾値Ｑ２以上の高速時報告領域Ｒ１１の範囲内に入っている場合のみ、メジャメント報告（Measurement Report）メッセージの通知に該当すると判断する。
【０２３２】
低速移動の場合は、受信品質が低速移動用閾値Ｑ１１以下で、高速移動用閾値Ｑ１２を超える低速時報告領域Ｒ１２の範囲内に入っている場合のみ、メジャメント報告（Measurement Report）メッセージの通知に該当すると判断する。
【０２３３】
受信品質が大きいか小さいか（以下「受信品質の大／小」という場合がある）は、例えば、ＳＩＮＲが大きいか小さいか（以下「ＳＩＮＲの大／小」という場合がある）によって判断し、数値化された値を有する。
【０２３４】
比較部６５によって、ｅＮＢなどのネットワーク側装置に通知すべきと判定された場合、メジャメント報告メッセージが、メジャメント報告通知部６６に通知される。メジャメント報告（Measurement Report）メッセージは、メジャメント報告通知部６６によって、報告用フォーマットに変換されて、変調され、アンテナ６１を介して、ｅＮＢなどのネットワーク側装置に送信される。
【０２３５】
これによって、実施の形態１の変形例１と比較して、以下の効果を得ることができる。ｅＮＢなどのネットワーク側装置が、ＵＥ６０の移動速度を把握する必要がなくなるので、ＵＥ６０が、自ＵＥ６０の移動速度をｅＮＢへ通知することによる遅延などの制御遅延を防止することができる。また、ｅＮＢが該ＵＥ６０の移動速度を測定する必要がないので、ｅＮＢの処理負荷を軽減することができる。
【０２３６】
また、ＵＥの移動速度だけでなく、移動方向に対しても同様の方法を適用することによって、さらに精度を高くして、メジャメント対象セルをＵＥ６０側が判定して、メジャメント報告（Measurement Report）メッセージを通知することもできる。また、ＵＥの位置に同様の方法を適用してもよい。
【０２３７】
すなわち、ｅＮＢなどのネットワーク側装置は、ＵＥがメジャメント報告対象セルを選択する基準となる選択基準として、ＵＥの位置、移動速度および移動方向に応じて異なる複数の選択基準を示すメジャメント設定をＵＥに通知すればよい。ＵＥは、ネットワーク側装置から通知されるメジャメント設定に従って、ＵＥの位置、移動速度および移動方向の少なくともいずれか１つに基づいて、複数の選択基準の中から、使用する選択基準を決定し、決定した選択基準に基づいて、メジャメント報告対象セルを選択すればよい。これによって、前述のように制御遅延を防止することができる。またｅＮＢなどのネットワーク側装置の処理負荷を軽減することができる。
【０２３８】
実施の形態２．
実施の形態２で解決する課題、および解決策について、以下に示す。実施の形態１、実施の形態１の変形例１および実施の形態１の変形例２では、ＲＲＣ＿ＣＯＮＮＥＣＴＥＤ状態のＵＥが、多数のスモールｅＮＢが設置されて、多数のスモールセルが構成される環境を高速に移動する場合のモビリティ性能を向上する方法について開示した。本実施の形態では、ＲＲＣ＿Ｉｄｌｅ状態のＵＥが、多数のスモールｅＮＢが設置されて、多数のスモールセルが構成される環境を高速に移動する場合の課題およびその解決策を開示する。
【０２３９】
ＲＲＣ＿Ｉｄｌｅ状態のＵＥが、多数のスモールセルが構成される環境を高速に移動する場合の課題について、以下に説明する。前述のように、マクロセルに比べて、スモールセルのセル半径、すなわちカバレッジ範囲は小さい。ＵＥが高速で移動する場合、ＵＥがマクロセルに滞留する時間に比べて、ＵＥがスモールセルに滞留する時間は短い。
【０２４０】
多数のスモールセル間を高速で移動するＲＲＣ＿Ｉｄｌｅ状態のＵＥは、セル選択（cell selection）、セル再選択（cell reselection）において、仮に測定によって適切なスモールセルを検出したとしても、該セルにセル選択処理、セル再選択処理を行っている間に、該セルを通過してしまうような場合が生じる。このようにＵＥが高速で移動している場合、測定によって選択したセルの通信品質は、既に劣化していることが考えられる。
【０２４１】
スモールセル間を高速で移動するＲＲＣ＿Ｉｄｌｅ状態のＵＥは、適切なセルの選択および再選択を行うことができない。これによって、セル選択処理およびセル再選択処理が頻発し、ＲＲＣ＿Ｉｄｌｅ状態のＵＥの処理負荷が増加し、それに伴う消費電力が増加するという課題が発生する。また、ＲＲＣ＿Ｉｄｌｅ状態のＵＥが、適切なセルの選択および再選択を行うことができないことから、該ＵＥへの着呼の不達などの課題が発生する。
【０２４２】
したがって、ＲＲＣ＿Ｉｄｌｅ状態のＵＥが、多数のスモールセルが構成される環境を高速に移動する場合の最適なセル選択処理およびセル再選択処理が必要となる。
【０２４３】
次に、実施の形態２における解決策について、以下に説明する。ネットワーク側装置からＵＥへ、メジャメント対象セルについての情報であるメジャメント対象セル情報を通知する。あるいは、セル選択対象のセルについての情報、セル再選択対象のセルについての情報を通知する。
【０２４４】
以下の説明では、メジャメント対象セルについて説明するが、セル選択対象のセル、セル再選択対象のセルについても同様に適用可能である。メジャメント対象セルについての情報は、ＵＥの移動速度と関連付けて通知される。どの移動速度と関連付けられたメジャメント対象セルを測定するかは、受信したＵＥが自ＵＥの移動速度に基づいて判断すればよい。
【０２４５】
あるいは、ネットワーク側装置からＵＥへ、ＵＥの移動速度と関連付けたメジャメント対象から除外するセルについての情報を通知してもよい。あるいは、セル選択対象から除外するセルについての情報、セル再選択対象から除外するセルについての情報を通知してもよい。どの移動速度と関連付けられたメジャメント対象から除外するセルについての情報であるかは、受信したＵＥが自ＵＥの移動速度に基づいて判断すればよい。
【０２４６】
メジャメント対象セルとは、例えば、ＵＥがセル選択、またはセル再選択のためにメジャメントを実行するセルのことである。メジャメント対象から除外するセルとは、例えば、ＵＥがセル選択、またはセル再選択のためにメジャメントを実行しないセルのことである。
【０２４７】
ネットワーク側装置は、メジャメント対象セルについての情報を、ｅＮＢ経由でＵＥへ通知すればよい。あるいは、ｅＮＢが、メジャメント対象セルについての情報を、ＵＥへ通知してもよい。
【０２４８】
以下の説明では、ｅＮＢがメジャメント対象セルについての情報をＵＥへ通知する場合について説明するが、ネットワーク側装置がメジャメント対象セルについての情報を、ｅＮＢ経由でＵＥへ通知する場合も同様に適用可能である。
【０２４９】
メジャメント対象セルについての情報の具体例として、以下の（１），（２）の２つを開示する。
【０２５０】
（１）メジャメント対象セルのセル識別情報を通知する。メジャメント対象から除外するセルのセル識別情報を通知してもよい。セル識別情報の具体例としては、ＰＣＩ、ＣＧＩ、バーチャルセルＩＤなどのセル識別子がある。メジャメント対象セルをグルーピングして、グループ識別子をネットワーク側装置からＵＥへ通知してもよい。その場合、各グループに含まれるスモールセルのセル識別子をネットワーク側装置からＵＥへ別途通知すればよい。該グループは、スモールセルクラスタであってもよい。
【０２５１】
図１９は、多数のスモールセルが設置される場合のセル構成の一例を示す図である。図１９のセル１〜セル３７は、スモールセルである。例えば、ＵＥ１５０１がセル１にキャンプオンしている、すなわちセル１を選択している場合の、メジャメント対象セルの具体例を表１に示す。表１では、メジャメント対象セルを、メジャメント対象セルのセル識別情報、具体的にはＰＣＩで表す。
【０２５２】
【表１】
2015015886.tif 000003
【０２５３】
ＵＥの移動速度を、例えば、静止、低速および高速に分類する。静止は、時速Ｖが０ｋｍ／ｈ（Ｖ＝０ｋｍ／ｈ）である。低速は、例えば時速Ｖが０ｋｍ／ｈよりも高く、３０ｋｍ／ｈ以下（０ｋｍ／ｈ＜Ｖ≦３０ｋｍ／ｈ）とする。高速は、例えば時速Ｖが３０ｋｍ／ｈよりも高い（３０ｋｍ／ｈ＜Ｖ）とする。移動速度の分類は、この限りではない。
【０２５４】
ＵＥが静止している場合は、セル１の全ての周辺セル、図１９では、セル２〜セル３７をメジャメント対象セルとする。ＵＥが静止しているので、セル選択処理、セル再選択処理を行っている間に、測定によって選択したセルを通過してしまうようなことはないからである。
【０２５５】
ＵＥが低速で移動している場合は、セル１の直近のセル、図１９では、セル２〜セル７を除いた周辺セル、図１９では、セル８〜セル３７を、メジャメント対象セルとする。これによって、セル１の直近のセルを選択し、セル再選択処理を行っている間に、選択した直近のセルを通過してしまうことを防ぐことができる。
【０２５６】
ＵＥが高速で移動している場合は、セル１から少し離れた周辺セル、図１９ではセル２０〜セル３７を、メジャメント対象セルとする。これによって、ＵＥが低速で移動している場合と同様に、セル１の直近のセルに加え、セル１から少し離れた周辺セルを選択し、セル再選択処理を行っている間に、選択した直近のセルを通過してしまうことを防ぐことができる。
【０２５７】
また、ＵＥの移動速度を示すインジケータを予め決めておき、メジャメント対象セルについての情報は、ＵＥの移動速度を示すインジケータと関連付けて通知してもよい。
【０２５８】
セルの識別情報の通知方法の具体例として、以下の（１−１）〜（１−４）の４つを開示する。
【０２５９】
（１−１）セル識別情報を報知情報によって通知する。報知情報で通知することによって、ＲＲＣ＿Ｉｄｌｅ状態のＵＥにも通知が可能となる。
【０２６０】
（１−２）Ｂａｒｒｅｄ情報を用いて通知する。従来では、Ｂａｒｒｅｄセルとは、ＵＥがキャンプオンを禁じられているセルである（非特許文献２  ４．３章参照）。新たに、Ｂａｒｒｅｄ情報に含まれるセルを、メジャメント対象から除外するセルとする。ＵＥの移動速度と関連付けたＢａｒｒｅｄ情報を新設する。例えば、静止ＵＥ用のＢａｒｒｅｄ情報、低速ＵＥ用のＢａｒｒｅｄ情報、高速ＵＥ用のＢａｒｒｅｄ情報とする。
【０２６１】
（１−３）ブラックリストを用いて通知する。従来では、ブラックリストとは、セル再選択の候補からはずれるセルのリストである（非特許文献２  ５．２．４章参照）。新たに、ブラックリストに含まれるセルを、メジャメント対象から除外するセルとする。ＵＥの移動速度と関連付けたブラックリストを新設する。例えば、静止ＵＥ用のブラックリスト、低速ＵＥ用のブラックリスト、高速ＵＥ用のブラックリストとする。
【０２６２】
（１−４）非特許文献１２に開示されているグレーリストを用いる。非特許文献１２では、グレーリストに含まれるセルは、高速移動するＵＥがメジャメントを報告することを制限する。新たに、グレーリストに含まれるセルを、高速移動するＵＥのメジャメント対象から除外するセルとする。ＵＥの移動速度と関連付けたグレーリストを新設する。例えば、低速ＵＥ用のグレーリスト、高速ＵＥ用のグレーリストとする。また、ｅＮＢは、グレーリストを報知情報によって通知する。報知情報で通知することによって、ＲＲＣ＿Ｉｄｌｅ状態のＵＥにも通知が可能となる。グレーリストをＳＩＢ４、またはＳＩＢ５で通知する。ＳＩＢ４、ＳＩＢ５は、ブラックリストを通知する。したがって、ＵＥは、セル再選択時に用いるパラメータを一度の処理で取得することが可能となる。これによって、ＵＥの処理負荷を軽減することができ、通信システムが複雑化することを回避することができる。
【０２６３】
（２）メジャメント対象となるセルが用いる周波数を示す情報を通知する。メジャメント対象から除外するセルが用いる周波数を示す情報を通知してもよい。周波数を示す情報の具体例としては、キャリア周波数、周波数バンド情報などがある。
【０２６４】
図２０は、セル構成および各セルの使用周波数の一例を示す図である。例えば、マクロセル１００が用いるキャリア周波数（周波数レイヤ）をｆ１，ｆ２とし、スモールセル１０１が用いるキャリア周波数をｆ３，ｆ４とする。メジャメント対象セルの使用周波数の具体例を表２に示す。
【０２６５】
【表２】
2015015886.tif 000004
【０２６６】
ＵＥの移動速度を、例えば、静止、低速および高速とする。静止は、時速Ｖが０ｋｍ／ｈ（Ｖ＝０ｋｍ／ｈ）である。低速は、例えば時速Ｖが０ｋｍ／ｈよりも高く、３０ｋｍ／ｈ以下（０ｋｍ／ｈ＜Ｖ≦３０ｋｍ／ｈ）とする。高速は、例えば時速Ｖが３０ｋｍ／ｈよりも高い（３０ｋｍ／ｈ＜Ｖ）とする。移動速度の分類は、この限りではない。
【０２６７】
ＵＥが静止している場合は、マクロセル１００が用いるキャリア周波数ｆ１，ｆ２と、スモールセル１０１が用いるキャリア周波数ｆ３，ｆ４とを、メジャメント対象となるセルが用いる周波数を示す情報とする。ＵＥが静止しているので、測定によって、マクロセル１００およびスモールセル１０１のどちらを選択しても、セル選択処理、セル再選択処理を行っている間に、該セルを通過してしまうようなことはないからである。
【０２６８】
ＵＥが低速で移動している場合は、マクロセル１００が用いるキャリア周波数ｆ１，ｆ２と、スモールセル１０１が用いるキャリア周波数ｆ３，ｆ４とを、メジャメント対象となるセルが用いる周波数を示す情報とする。ＵＥが低速で移動しているので、測定によって、マクロセル１００およびスモールセル１０１のどちらを選択しても、セル選択処理、セル再選択処理を行っている間に、該セルを通過してしまうようなことが少ないからである。
【０２６９】
ＵＥが高速で移動している場合は、マクロセル１００が用いるキャリア周波数ｆ１，ｆ２を、メジャメント対象となるセルが用いる周波数を示す情報とする。これによって、スモールセル１０１が用いるキャリア周波数をメジャメント対象から除外するので、セル再選択処理を行っている間に、選択したスモールセル１０１を通過してしまうことを防ぐことができる。
【０２７０】
また、ＵＥの移動速度を示すインジケータを予め決めておき、メジャメント対象のセルについての情報は、ＵＥの移動速度を示すインジケータと関連付けて通知してもよい。
【０２７１】
また、メジャメント対象となるセルが用いる周波数を示す情報をＵＥの移動速度と関連付けて通知する代わりに、メジャメント対象となるセルが用いる周波数を示す情報と、該周波数を用いるセルの属性とを関連付けて通知してもよい。
【０２７２】
セルの属性の具体例として、以下の（１），（２）の２つを開示する。
（１）マクロセル、スモールセルの別。
（２）カバレッジ半径。カバレッジ半径の範囲を示すインジケータであってもよい。
【０２７３】
メジャメント対象となるセルが用いる周波数を示す情報と、該周波数を用いるセルの属性とを関連付けて通知する場合の情報の具体例を表３に示す。ＵＥの移動速度と、メジャメント対象とするセルの属性については、予め決めておけばよい。
【０２７４】
【表３】
2015015886.tif 000005
【０２７５】
高速で移動するＵＥは、マクロセル、またはカバレッジ半径が、例えば閾値Ａ以上であるセルをメジャメント対象とすると予め決められていたとする。ＵＥが高速で移動している場合は、マクロセル１００が用いるキャリア周波数ｆ１，ｆ２を、メジャメント対象とする。これによって、スモールセル１０１が用いるキャリア周波数をメジャメント対象から除外するので、セル再選択処理を行っている間に、選択したスモールセル１０１を通過してしまうことを防ぐことができる。
【０２７６】
低速で移動するＵＥは、マクロセル１００とスモールセル１０１との別、またはカバレッジ半径によらず、メジャメント対象とする。ＵＥが低速で移動している場合は、マクロセル１００が用いるキャリア周波数ｆ１，ｆ２と、スモールセル１０１が用いるキャリア周波数ｆ３，ｆ４とを、メジャメント対象とする。ＵＥが低速で移動しているので、測定によって、マクロセル１００およびスモールセル１０１のどちらを選択しても、セル選択処理、セル再選択処理を行っている間に、該セルを通過してしまうようなことが少ないからである。
【０２７７】
メジャメント対象となるセルが用いる周波数を示す情報の通知方法の具体例として、以下の（２−１），（２−２）の２つを開示する。
【０２７８】
（２−１）メジャメント対象となるセルが用いる周波数を示す情報を、報知情報によって通知する。報知情報で通知することによって、ＲＲＣ＿Ｉｄｌｅ状態のＵＥにも通知が可能となる。メジャメント対象となるセルが用いる周波数を示す情報を、ＳＩＢ３、ＳＩＢ５で通知する。ＳＩＢ３、ＳＩＢ５は、セル再選択に関する情報を通知する。したがって、ＵＥは、セル再選択時に用いるパラメータを一度の処理で取得することが可能となる。これによって、ＵＥの処理負荷を軽減することができ、通信システムが複雑化することを回避することができる。
【０２７９】
（２−２）「CellReselectionPriority」情報を用いて通知する。従来の「CellReselectionPriority」に、該周波数を用いるセルがメジャメント対象となるＵＥの移動速度の情報を関連付けて通知する。具体的には、静止、低速および高速などの情報を追加する。あるいは、該周波数を用いるセルの属性の情報を関連付けて通知する。具体的には、マクロセルおよびスモールセルなどの情報を追加する。新たに情報が負荷された「CellReselectionPriority」を受信したＵＥは、自ＵＥの移動速度に基づいて、どの周波数を優先的に測定するかを判断する。
【０２８０】
「CellReselectionPriority」に、該周波数を用いるセルがメジャメント対象となるＵＥの移動速度の情報を関連付けた情報の具体例を表４に示す。
【０２８１】
【表４】
2015015886.tif 000006
【０２８２】
ＵＥが高速で移動している場合は、最も高い優先順位（以下「第１優先順位」という）を、マクロセル１００が用いるキャリア周波数ｆ１とする。２番目に高い優先順位（以下「第２優先順位」という）および３番目に高い優先順位（以下「第３優先順位」という）は、該当なしとする。４番目に高い優先順位（以下「第４優先順位」という）を、マクロセル１００が用いるキャリア周波数ｆ２とする。
【０２８３】
スモールセル１０１が用いるキャリア周波数ｆ３，ｆ４をメジャメント対象から除外してもよいし、優先順位を最も低く設定してもよい。このようにスモールセル１０１が用いるキャリア周波数をメジャメント対象から除外する、または優先順位を低くすることによって、セル再選択処理を行っている間に、選択したスモールセル１０１を通過してしまうことを防ぐことができる。
【０２８４】
ＵＥが低速で移動している場合は、第１優先順位を、マクロセル１００が用いるキャリア周波数ｆ１とし、第２優先順位を、スモールセル１０１が用いるキャリア周波数ｆ３とし、第３優先順位を、スモールセル１０１が用いるキャリア周波数ｆ４とし、第４優先順位を、マクロセル１００が用いるキャリア周波数ｆ２とする。ＵＥが低速で移動しているので、測定によってマクロセル１００およびスモールセル１０１のどちらを選択しても、セル選択処理、セル再選択処理を行っている間に、該セルを通過してしまうようなことが少ないからである。
【０２８５】
図２１は、本発明の実施の形態２における通信システムのシーケンスの一例を示す図である。
【０２８６】
ステップＳＴ６６０１において、ＵＥがセル選択し、キャンプオンするセルであるサービングｅＮＢ（セル）は、傘下のＵＥへ、ＵＥの移動速度と関連付けられたメジャメント対象セルのセル情報を通知する。
【０２８７】
ステップＳＴ６６０１でＵＥの移動速度と関連付けられたメジャメント対象のセル情報を受信したＵＥは、ステップＳＴ６６０２において、自ＵＥの移動速度を確認する。移動速度の確認方法は、既に知られている方法を用いることができる。例えば、ＧＰＳを用いる方法、加速度センサーを用いる方法などがある。
【０２８８】
ステップＳＴ６６０３において、ＵＥは、ステップＳＴ６６０１で受信した、ＵＥの移動速度と関連付けられたメジャメント対象セルのセル情報から、ステップＳＴ６６０２で確認した、自ＵＥの移動速度に応じたメジャメント対象セルを選択して、選択したメジャメント対象セルを測定する。ステップＳＴ６６０３でメジャメント対象セルとなるセルは、１つであってもよいし、複数であってもよい。
【０２８９】
ステップＳＴ６６０４において、ＵＥは、サービングｅＮＢ（セル）およびメジャメント対象セルのメジャメント結果に基づいて、セル再選択処理、またはセル選択処理を実行する。ＵＥは、該処理において、ステップＳＴ６６０１で受信した、ＵＥの移動速度と関連付けられたメジャメント対象セルのセル情報を用いてもよい。
【０２９０】
実施の形態２によって、以下の効果を得ることができる。多数のスモールセル間を高速で移動するＲＲＣ＿Ｉｄｌｅ状態のＵＥにおいて、ＵＥの移動速度と関連付けて、メジャメント対象セルのセル情報であるメジャメント対象セル情報を通知することによって、ＵＥの移動が原因で、セル再選択処理を行っている間にセルを通過してしまうようなセルの選択を防ぐことができる。これによって、スモールセル間を高速で移動するＲＲＣ＿Ｉｄｌｅ状態のＵＥが適切なセルを選択、再選択を行うことが可能となり、セル選択処理、セル再選択処理の頻発を防ぐことができる。したがって、ＵＥの処理負荷の増加を防ぎ、それに伴う消費電力の増加を防ぐことができる。
【０２９１】
また、ＵＥは、自ＵＥの移動速度の変動に応じて、適切なセルを選択、再選択することが可能となる。例えば、ＵＥの移動速度が高速であった場合は、高速用のメジャメント対象セル情報を用いてメジャメントを実行することができ、その後ＵＥの移動速度が低速になった場合は、低速用のメジャメント対象セル情報を用いてメジャメントを実行することができる。さらに、その後ＵＥが静止した場合は、静止用のメジャメント対象セル情報を用いてメジャメントを実行することができる。このように、ＵＥの移動速度の変動に応じて、適切なメジャメント対象セル、セル選択対象セルまたはセル再選択対象セルを設定することができるためである。
【０２９２】
また、ＲＲＣ＿Ｉｄｌｅ状態のＵＥが、適切なセルを選択、再選択を行うので、該ＵＥへの着呼の不達などを防止することができる。
【０２９３】
実施の形態２  変形例１．
実施の形態２の変形例１では、前述の実施の形態２と同様の課題を解決する。実施の形態２の変形例１における解決策を以下に示す。
【０２９４】
ＵＥの移動速度に応じたセル再選択のためのメジャメントルールとする。セル再選択のためのメジャメントルールで用いるパラメータを、ＵＥの移動速度と関連付けたパラメータとしてもよい。ネットワーク側装置からＵＥへ、メジャメントルールについての情報を通知する。メジャメントルールについての情報は、ＵＥの移動速度と関連付けて通知する。どの移動速度と関連付けられたメジャメントルールに従って測定するかは、受信したＵＥが自ＵＥの移動速度に基づいて判断すればよい。
【０２９５】
ネットワーク側装置は、メジャメントルールについての情報を、ｅＮＢ経由でＵＥへ通知すればよい。あるいは、ｅＮＢが、メジャメントルールについての情報を、ＵＥへ通知してもよい。以下の説明では、ｅＮＢがメジャメントルールについての情報をＵＥへ通知する場合について説明するが、ネットワーク側装置がメジャメントルールについての情報を、ｅＮＢ経由でＵＥへ通知する場合も同様に適用可能である。
【０２９６】
メジャメントルールの具体例として、以下の（１）〜（４）の４つを開示する。
【０２９７】
（１）ＵＥの移動速度と関連付けたセル再選択用の周辺セルのメジャメント開始閾値を新設する。メジャメント開始閾値としては、例えば、Ｓ＿ＩｎｔｒａＳｅａｒｃｈ、Ｓ＿ＩｎｔｅｒＳｅａｒｃｈ（非特許文献２参照）などがある。従来では、サービングセルの受信品質が、メジャメント開始閾値Ｓ＿ＩｎｔｒａＳｅａｒｃｈよりも大きい場合は、サービングセルと同じ周波数における再選択用の周辺セルのメジャメントを開始しない。
【０２９８】
また、サービングセルの受信品質が、メジャメント開始閾値Ｓ＿ＩｎｔｅｒＳｅａｒｃｈよりも大きい場合は、サービングセルと異なる周波数における再選択用の周辺セルのメジャメントを開始しない。新たに、例えば高速用のメジャメント開始閾値Ｓ＿ＩｎｔｒａＳｅａｒｃｈ、高速用のメジャメント開始閾値Ｓ＿ＩｎｔｅｒＳｅａｒｃｈ、静止用（低速用）のメジャメント開始閾値Ｓ＿ＩｎｔｒａＳｅａｒｃｈおよび静止用（低速用）のメジャメント開始閾値Ｓ＿ＩｎｔｅｒＳｅａｒｃｈを新設する。移動速度の分類は、この限りではない。以下の説明では、メジャメント開始閾値Ｓ＿ＩｎｔｒａＳｅａｒｃｈについて説明するが、メジャメント開始閾値Ｓ＿ＩｎｔｅｒＳｅａｒｃｈについても同様に適用可能である。
【０２９９】
さらに、高速用のメジャメント開始閾値Ｓ＿ＩｎｔｒａＳｅａｒｃｈは、静止用（低速用）のメジャメント開始閾値Ｓ＿ＩｎｔｒａＳｅａｒｃｈよりも小さい（高速用のメジャメント開始閾値Ｓ＿ＩｎｔｒａＳｅａｒｃｈ＜静止用（低速用）のメジャメント開始閾値Ｓ＿ＩｎｔｒａＳｅａｒｃｈ）としてもよい。
【０３００】
ＵＥが高速移動する場合は、ＵＥが低速移動する場合と異なり、サービングセルの受信品質が、ＵＥが低速移動する場合に再選択用の周辺セルメジャメントが開始される値となっても、再選択用の周辺セルメジャメントが開始されない。つまり、ＵＥが高速移動する場合は、サービングセルに長くとどまることになる。換言すれば、ＵＥが高速移動する場合は、サービングセルのカバレッジが見かけ上大きくなる。したがって、サービングセルの直近のセルを選択してセル再選択処理を行っている間に、選択した直近のセルを通過してしまうことを防ぐことができる。
【０３０１】
（２）ＵＥの移動速度と関連付けた「CellReselectionPriority」情報を新設する。例えば、静止用（低速用）の「CellReselectionPriority」および高速用の「CellReselectionPriority」を新設する。
【０３０２】
図２０の多数のスモールセルが設置される環境であった場合の、静止用（低速用）の「CellReselectionPriority」の具体例を表５に示し、高速用の「CellReselectionPriority」の具体例を表６に示す。
【０３０３】
【表５】
2015015886.tif 000007
【０３０４】
【表６】
2015015886.tif 000008
【０３０５】
表５に示すように、ＵＥが静止している場合は、マクロセルが用いるキャリア周波数ｆ１，ｆ２と、スモールセルが用いるキャリア周波数ｆ３，ｆ４とを、「優先順位情報」に含める。ＵＥが静止しているので、測定によってマクロセルおよびスモールセルのどちらを選択しても、セル選択処理、セル再選択処理を行っている間に、該セルを通過してしまうようなことはないからである。
【０３０６】
表６に示すように、ＵＥが高速で移動している場合は、マクロセルが用いるキャリア周波数ｆ１，ｆ２を「優先順位情報」に含める。スモールセルが用いるキャリア周波数ｆ３，ｆ４を「優先順位情報」から除外する、またはスモールセルが用いるキャリア周波数ｆ３，ｆ４の優先順位を下げる。このように、スモールセルが用いるキャリア周波数をメジャメント対象から除外する、またはスモールセルが用いるキャリア周波数の優先順位を下げるので、セル再選択処理を行っている間に、選択したスモールセルを通過してしまうことを防ぐことができる。
【０３０７】
（３）ＵＥの移動速度と関連付けたセル再選択用の周辺セルの受信品質閾値を新設する。受信品質閾値としては、例えば、Ｔｈｒｅｓｈ（非特許文献２参照）などがある。従来では、周辺セルの受信品質が、受信品質閾値Ｔｈｒｅｓｈよりも大きい場合は、セル再選択の候補として、セル再選択処理を実行する。新たに、例えば高速用の受信品質閾値Ｔｈｒｅｓｈ、低速用の受信品質閾値Ｔｈｒｅｓｈおよび静止用の受信品質閾値Ｔｈｒｅｓｈを新設する。
【０３０８】
図１９の多数のスモールセルが設置される環境であった場合の、高速用の受信品質閾値Ｔｈｒｅｓｈ、低速用の受信品質閾値Ｔｈｒｅｓｈおよび静止用の受信品質閾値Ｔｈｒｅｓｈの具体例を、以下に説明する。静止用受信品質閾値ＴｈｒｅｓｈをＡ、低速用受信品質閾値ＴｈｒｅｓｈをＢ、高速用受信品質閾値ＴｈｒｅｓｈをＣとする。また、Ａ、ＢおよびＣの各受信品質閾値は、Ａ、ＢおよびＣの順に大きい（Ａ＞Ｂ＞Ｃ）とする。
【０３０９】
ＵＥが静止している場合は、周辺セルの受信品質が静止用受信品質閾値「Ａ」よりも大きい場合に、該周辺セルをセル再選択の候補としてセル再選択処理を実行する。
【０３１０】
ＵＥが低速で移動している場合は、周辺セルの受信品質が低速用受信品質閾値「Ｂ」よりも大きい場合に、該周辺セルをセル再選択の候補としてセル再選択処理を実行する。ただし、周辺セルの受信品質が静止用受信品質閾値「Ａ」よりも大きい場合を除くとする。
【０３１１】
ＵＥが高速で移動している場合は、周辺セルの受信品質が高速用受信品質閾値「Ｃ」よりも大きい場合に、該周辺セルをセル再選択の候補としてセル再選択処理を実行する。ただし、周辺セルの受信品質が低速用受信品質閾値「Ｂ」よりも大きい場合を除く。
【０３１２】
ＵＥが低速で移動している場合は、静止用受信品質閾値Ｔｈｒｅｓｈ＝Ａを満たすものを除外することによって、サービングセルの直近のセル、例えば図１９では、サービングセルをセル１とした場合のセル２〜セル７を除いた周辺セルをセル再選択候補とすることができる。これによって、サービングセルの直近のセルを選択し、セル再選択処理を行っている間に、選択した直近のセルを通過してしまうことを防ぐことができる。
【０３１３】
ＵＥが高速で移動している場合は、低速用受信品質閾値Ｔｈｒｅｓｈ＝Ｂを満たすものを除外することによって、サービングセルから少し離れた周辺セル、例えば図１９では、サービングセルをセル１とした場合のセル２〜セル１０を除いた周辺セルをセル再選択候補とすることができる。これによって、ＵＥが低速で移動している場合と同様に、サービングセルの直近のセルに加え、サービングセルから少し離れた周辺セルを選択し、セル再選択処理を行っている間に、選択した直近のセルを通過してしまうことを防ぐことができる。
【０３１４】
（４）ＵＥの移動速度と関連付けたセル再選択用の周辺セルのメジャメント結果に減算するオフセット値を新設する。オフセット値としては、例えば、Ｑｏｆｆｓｅｔ（非特許文献２参照）などがある。従来では、周辺セルのメジャメント結果から、オフセット値Ｑｏｆｆｓｅｔを減算し、セル再選択処理を行う。つまり、順位付けを行い、再選択するセルを決定する。新たに、セルの属性を関連付けたオフセット値を新設する。高速移動のＵＥが新設されたオフセット値を用いる。
【０３１５】
セルの属性の具体例として、以下の（４−１）〜（４−３）の３つを開示する。
【０３１６】
（４−１）マクロセル、スモールセルの別。例えば、マクロセル用オフセット値（マクロセル用Ｑｏｆｆｓｅｔ）は、スモールセル用オフセット値（スモールセル用Ｑｏｆｆｓｅｔ）よりも小さい（マクロセル用Ｑｏｆｆｓｅｔ＜スモールセル用Ｑｏｆｆｓｅｔ）とする。これによって、ＵＥにおけるスモールセルの受信品質が低く見え、スモールセルを選択し、セル再選択処理を行っている間に、選択した直近のセルを通過してしまうことを防ぐことができる。
【０３１７】
（４−２）カバレッジ半径。カバレッジ半径の範囲を示すインジケータ。例えば、カバレッジ半径が大きいオフセット値（カバレッジ半径大用Ｑｏｆｆｓｅｔ）は、カバレッジ半径が小さいオフセット値（カバレッジ半径小用Ｑｏｆｆｓｅｔ）よりも小さい（カバレッジ半径大用Ｑｏｆｆｓｅｔ＜カバレッジ半径小用Ｑｏｆｆｓｅｔ）とする。これによって、ＵＥにおけるカバレッジ半径が小さいセルの受信品質が低く見え、カバレッジ半径が小さいセルを選択し、セル再選択処理を行っている間に、選択した直近のセルを通過してしまうことを防ぐことができる。
【０３１８】
（４−３）非特許文献１２に開示されているグレーリストに含まれるセルであるか否か。例えば、通常のオフセット値は、グレーリストに含まれるセル用のオフセット値よりも小さい（通常のＱｏｆｆｓｅｔ＜グレーリストに含まれるセル用Ｑｏｆｆｓｅｔ）とする。これによって、ＵＥにおけるグレーリストに含まれるセルの受信品質が低く見え、グレーリストに含まれるセルを選択し、セル再選択処理を行っている間に、選択した直近のセルを通過してしまうことを防ぐことができる。
【０３１９】
さらには、ＵＥは、自ＵＥの移動速度に加えて、メジャメント対象のセルの属性に応じて、ＵＥの移動速度に応じたセル再選択のためのメジャメントルールを用いるか否かを判断してもよい。セルの属性の具体例は、前述の具体例（１），（２）と同様であるので、説明を省略する。オフセット値の具体例として、以下の（１）〜（３）を開示する。
【０３２０】
（１）自ＵＥの移動速度が高速で、メジャメント対象のセルの属性がスモールセルの場合に、高速用のメジャメント開始閾値Ｓ＿ＩｎｔｒａＳｅａｒｃｈ、高速用の「CellReselectionPriority」、高速用の受信品質閾値Ｔｈｒｅｓｈ、スモールセル用オフセット値Ｑｏｆｆｓｅｔを用いる。
【０３２１】
（２）自ＵＥの移動速度が高速で、メジャメント対象のセルの属性がカバレッジ半径小の場合に、高速用のメジャメント開始閾値Ｓ＿ＩｎｔｒａＳｅａｒｃｈ、高速用の「CellReselectionPriority」、高速用の受信品質閾値Ｔｈｒｅｓｈ、カバレッジ半径小用オフセット値Ｑｏｆｆｓｅｔを用いる。
【０３２２】
（３）自ＵＥの移動速度が高速で、メジャメント対象のセルの属性がグレーリストに含まれるセルである場合に、高速用のメジャメント開始閾値Ｓ＿ＩｎｔｒａＳｅａｒｃｈ、高速用の「CellReselectionPriority」、高速用の受信品質閾値Ｔｈｒｅｓｈ、グレーリストに含まれるセル用オフセット値Ｑｏｆｆｓｅｔを用いる。
【０３２３】
自ＵＥの移動速度が高速であっても、メジャメント対象のセルの属性が、例えばマクロセルであれば、該セルにセル選択処理、セル再選択処理を行っている間に、該セルを通過する可能性が低い。これによって、メジャメント対象のセルの属性が、マクロセルなどの場合は、適切に該セルを選択することが可能となる。
【０３２４】
図２２は、本発明の実施の形態２の変形例１における通信システムのシーケンスの一例を示す図である。
【０３２５】
ステップＳＴ６８０１において、ＵＥがセル選択し、キャンプオンするセルであるサービングｅＮＢ（セル）は、傘下のＵＥへ、ＵＥの移動速度に応じたセル再選択のためのメジャメントルールを通知する。
【０３２６】
ステップＳＴ６８０１でＵＥの移動速度に応じたセル再選択のためのメジャメントルールを受信したＵＥは、ステップＳＴ６８０２において、自ＵＥの移動速度を確認する。移動速度の確認方法は、既に知られている方法を用いることができる。例えば、ＧＰＳを用いる方法、加速度センサーを用いる方法などがある。
【０３２７】
ステップＳＴ６８０３において、ＵＥは、ステップＳＴ６８０１で受信した、ＵＥの移動速度に応じたセル再選択のためのメジャメントルールから、ステップＳＴ６８０２で確認した、自ＵＥの移動速度に応じたメジャメントルールを選択する。
【０３２８】
ステップＳＴ６８０４において、ＵＥは、サービングｅＮＢ（セル）と周辺セルとのメジャメント結果に基づいて、セル再選択処理、またはセル選択処理を実行する。
【０３２９】
実施の形態２の変形例１によって、実施の形態２の効果に加えて、以下の効果を得ることができる。ネットワーク側装置からＵＥへ、メジャメント対象セルについての情報を細かく通知する必要がなくなる。これによって、通信システムが複雑化することを回避することができる。
【０３３０】
実施の形態２  変形例２．
ハンドオーバ失敗（ＨＯＦ）または無線リンク失敗（ＲＬＦ）が生じた場合、ＵＥは、ＲＲＣ接続再設立（RRC connection re-establishment）を行うために、セル選択を実行する。
【０３３１】
この場合のセル選択に、実施の形態２および実施の形態２の変形例１で開示した方法を適用するとよい。これによって、ＵＥは、自ＵＥの移動速度に応じて最適なセルを検出することができ、該セルに対してＲＲＣ接続再設立を実行することが可能となる。したがって、ＲＲＣ接続再設立が成功する確率を向上することができる。また、ＵＥは、ＨＯＦまたはＲＬＦ状態から速やかに復帰することができ、ネットワーク側装置と正常な通信を行うことが可能となる。
【０３３２】
実施の形態２  変形例３．
ＵＥがＨＯＦまたはＲＬＦが生じた場合に行うＲＲＣ接続再設立の他の方法として、実施の形態１で開示した、ネットワーク側装置が、ＵＥの位置、移動速度および移動方向の少なくともいずれか１つを用いてメジャメント対象セルを決定し、決定したメジャメント対象セルをＵＥへ通知する方法を用いるとよい。
【０３３３】
メジャメント対象セルを通知されたＵＥは、ＨＯＦまたはＲＬＦが生じた場合のＲＲＣ接続再設立を行うセルとして、該メジャメント対象セルを設定する。メジャメント対象セルが複数の場合、ＵＥは、該メジャメント対象セルの範囲内でセル選択を実行するとよい。メジャメント対象セルの範囲内で最も受信電力が高い、または最も受信品質が高いセルを選択するとよい。選択したセルにＲＲＣ接続再設立処理を実行する。
【０３３４】
ネットワーク側装置は、ＵＥの位置、移動速度および移動方向の少なくともいずれか１つに適したメジャメント対象セルを設定している。したがって、仮に、ＵＥが現地点でアクセスしているセルとの間でＨＯＦまたはＲＬＦに陥ったとしても、メジャメント対象セルを、ＲＲＣ接続再設立を行うセルとすることによって、ＵＥの位置、移動速度および移動方向の少なくともいずれか１つに適したセルを選択することが可能となる。これによって、ＲＲＣ接続再設立が成功する確率を向上することができる。また、ＵＥは、ＨＯＦまたはＲＬＦ状態から速やかに復帰することができ、ネットワーク側装置と正常な通信を行うことが可能となる。
【０３３５】
また、ＵＥがＨＯＦまたはＲＬＦが生じた場合のＲＲＣ接続再設立を行うセルとして、メジャメント対象セルを設定する場合、基地局から通知された最新のメジャメント対象セルとしてもよい。これによって、最新の状況を反映できるので、ＲＲＣ接続再設立が成功する確率をさらに向上することができる。また、ＵＥは、ＨＯＦまたはＲＬＦ状態から速やかに復帰することができ、ネットワーク側装置と正常な通信を行うことが可能となる。また、メジャメント対象セルでなく、メジャメント報告対象セルとしてもよい。
【０３３６】
ＵＥがメジャメントを行い、ＵＥでメジャメント報告のトリガが発生した場合、ＵＥは、基地局に対してメジャメント報告を通知する。例えば、図１０のステップＳＴ３２０７のメジャメント報告などである。メジャメント報告に含まれるメジャメント報告対象セルは、図１０のステップＳＴ３２０５でＵＥに通知するメジャメント対象セルのうち、予め定めるイベント条件を満足したセルである。
【０３３７】
したがって、ＵＥにとっては、さらに適したセルを選択することが可能となる。これによって、ＲＲＣ接続再設立が成功する確率をさらに向上することができる。また、ＵＥは、ＨＯＦまたはＲＬＦ状態から速やかに復帰することができ、ネットワーク側装置と正常な通信を行うことが可能となる。
【０３３８】
また、ＵＥが、ＨＯＦまたはＲＬＦが生じた場合のＲＲＣ接続再設立を行うセルとして、メジャメント報告対象セルを設定する場合、基地局から通知された最新のメジャメント対象セルとしてもよい。これによって、最新の状況を反映できるので、ＲＲＣ接続再設立が成功する確率をさらに向上することができる。また、ＵＥは、ＨＯＦまたはＲＬＦ状態から速やかに復帰することができ、ネットワーク側装置と正常な通信を行うことが可能となる。
【０３３９】
ＨＯ関連処理中にＨＯＦまたはＲＬＦが生じた場合のＲＲＣ接続再設立を実行するセルについては、３ＧＰＰ会合への寄書である非特許文献１３に開示されている。非特許文献１３には、ＨＯ関連処理中にＨＯＦまたはＲＬＦが生じた場合に、ＵＥは、ＨＯのターゲットセルに対して、ＲＲＣ接続再設立を実行する方法が記載されている。
【０３４０】
しかし、ＨＯ関連処理中にＨＯＦまたはＲＬＦが生じる原因として、ソースセルからＵＥへのＨＯ指示メッセージの通知の失敗が多数を占める。この場合、非特許文献１３の方法を適用することはできない。ＨＯのターゲットセルは、ソースセルからのＨＯ指示メッセージでＵＥに通知されるからである。つまり、ソースセルからＨＯ指示メッセージを正常に受信できないＵＥは、ターゲットセルを認識することができないためである。
【０３４１】
この問題を解決するために、ＨＯ関連処理中にＨＯＦまたはＲＬＦが生じた場合に、実施の形態２の変形例２および実施の形態２の変形例３で開示した方法を適用するとよい。これらの方法では、ＵＥは、基地局からＨＯ指示メッセージを通知されるより前に、ＲＲＣ接続再設立を実行するセルを認識することが可能である。したがって、仮に、ＵＥがＨＯ指示メッセージを正常に受信できない場合でも、ＲＲＣ接続再設立を実行するセルを特定することが可能となる。
【０３４２】
これによって、ＨＯ関連処理中にＨＯＦまたはＲＬＦが生じた場合にも、ＲＲＣ接続再設立が成功する確率を向上することができる。また、ＵＥは、ＨＯＦまたはＲＬＦ状態から速やかに復帰することができ、ネットワーク側装置と正常な通信を行うことが可能となる。
【０３４３】
本変形例において、ＵＥの移動速度に応じてＲＲＣ接続再設立処理を実行するセルを選択してもよい。ＵＥの移動速度に応じる点において、前述の実施の形態２の方法を適用してもよい。
【０３４４】
例えば、ＨＯＦまたはＲＬＦが生じた場合のＵＥの移動速度が速い場合は、本変形例で開示した方法とする。例えば、ＲＲＣ接続再設立処理を実行するセルとして、メジャメント報告対象のセルとする。
【０３４５】
他方、ＨＯＦまたはＲＬＦが生じた場合のＵＥの移動速度が遅い場合は、通常の処理に従う。例えば、通常のセル選択の処理に従ったセル選択を行う。
【０３４６】
このようにすることによって、ＵＥの移動速度に応じたセルを選択可能となる。例えば、メジャメント報告対象セルの報告時には高速で移動していたＵＥが、メジャメント報告対象セルを基地局に通知した後、急に移動速度を低下させ、低速または静止した場合などに、ＵＥは通常のセル選択に従うので、低速または静止状態に応じた周辺セルを選択することが可能となる。
【０３４７】
したがって、ＵＥの移動速度が時々刻々変動する場合にも、ＨＯＦまたはＲＬＦ時にＲＲＣ接続再設立が成功する確率を向上することができる。また、ＵＥはＨＯＦまたはＲＬＦ状態から速やかに復帰することができ、ネットワーク側装置と正常な通信を行うことが可能となる。
【０３４８】
本変形例において、サービングセルの属性に応じて、ＲＲＣ接続再設立処理を実行するセルを選択してもよい。サービングセルの属性に応じる点において、前述の実施の形態２の変形例１の方法を適用してもよい。
【０３４９】
例えば、ＨＯＦまたはＲＬＦが生じた場合のサービングセルのカバレッジ半径が小さい場合は、本変形例で開示した方法とする。例えば、ＲＲＣ接続再設立処理を実行するセルとして、メジャメント報告対象セルとする。
【０３５０】
他方、ＨＯＦまたはＲＬＦが生じた場合のサービングセルのカバレッジ半径が大きい場合は、通常の処理に従う。例えば、通常のセル選択の処理に従ったセル選択を行う。
【０３５１】
このようにすることによって、サービングセルの属性に応じたセルを選択することが可能となり、ＨＯＦまたはＲＬＦ時にＲＲＣ接続再設立が成功する確率を向上することができる。また、ＵＥは、ＨＯＦまたはＲＬＦ状態から速やかに復帰することができ、ネットワーク側装置と正常な通信を行うことが可能となる。
【０３５２】
ＨＯＦまたはＲＬＦが生じた場合のセル選択の方法として、選択するセルを特定するのではなく、選択するセルが存在する周波数レイヤにしてもよい。
【０３５３】
例えば、ＵＥは、ＨＯＦまたはＲＬＦが生じた場合、ＲＲＣ接続再設立（RRC connection re-establishment）を行うためのセル選択を実行するキャリア周波数を、メジャメント対象セルの存在するキャリア周波数とする。あるいは、メジャメント報告対象セルのキャリア周波数としてもよい。また、ターゲットセルの存在するキャリア周波数としてもよい。キャリア周波数ではなく、周波数レイヤ、または周波数バンドとしてもよい。
【０３５４】
ＵＥは、該キャリア周波数でセル選択を実行し、受信電力または受信品質が最も高いセル、すなわちベストセルを選択して、ＲＲＣ接続再設立を実行する。
【０３５５】
これによって、さらにＨＯＦまたはＲＬＦが生じた時点で最も良好なセルをＵＥに選択させることが可能となる。したがって、ＲＲＣ接続再設立が成功する確率を向上することができる。また、ＵＥは、ＨＯＦまたはＲＬＦ状態から速やかに復帰することができ、ネットワーク側装置と正常な通信を行うことが可能となる。
【０３５６】
前述の各実施の形態およびその変形例は、本発明の例示に過ぎず、本発明の範囲内において、各実施の形態およびその変形例を自由に組合せることができる。また、各実施の形態およびその変形例の任意の構成要素を適宜、変更または省略することができる。
【０３５７】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【０３５８】
５０，６０，１３０３，１４０１，１５０１  移動端末（ＵＥ）、５１，６１  アンテナ、５２，６３  品質測定部、５３，６５  比較部、５４，６６  メジャメント報告通知部、６２  復調部、６４  移動速度測定部、１００  マクロセル、１０１  スモールセル。
【図１】
2015015886.tif 000009
【図２】
2015015886.tif 000010
【図３】
2015015886.tif 000011
【図４】
2015015886.tif 000012
【図５】
2015015886.tif 000013
【図６】
2015015886.tif 000014
【図７】
2015015886.tif 000015
【図８】
2015015886.tif 000016
【図９】
2015015886.tif 000017
【図１０】
2015015886.tif 000018
【図１１】
2015015886.tif 000019
【図１２】
2015015886.tif 000020
【図１３】
2015015886.tif 000021
【図１４】
2015015886.tif 000022
【図１５】
2015015886.tif 000023
【図１６】
2015015886.tif 000024
【図１７】
2015015886.tif 000025
【図１８】
2015015886.tif 000026
【図１９】
2015015886.tif 000027
【図２０】
2015015886.tif 000028
【図２１】
2015015886.tif 000029
【図２２】
2015015886.tif 000030
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
１つまたは複数の基地局装置を含むネットワーク側装置によって構成されるネットワークを介して、複数の通信端末装置が無線通信を行う通信システムであって、
前記１つまたは複数の基地局装置によって構成され、前記通信端末装置と接続されて前記通信端末装置と無線通信を行う複数のセルを備え、
前記通信端末装置は、自装置の位置、移動速度および移動方向の少なくともいずれか１つに基づいて、前記複数のセルのうち、通信状況に関する測定結果を報告すべき報告対象セルを選択し、選択した報告対象セルの測定結果を前記基地局装置に報告し、
前記ネットワーク側装置は、
前記通信端末装置が前記報告対象セルを選択する基準となる選択基準として、前記通信端末装置の位置、移動速度および移動方向に応じて異なる複数の選択基準を有し、前記通信端末装置の位置、移動速度および移動方向の少なくともいずれか１つに基づいて、前記複数の選択基準の中から、使用する選択基準を決定し、決定した選択基準を前記通信端末装置に通知し、
前記通信端末装置は、
前記ネットワーク側装置から通知される選択基準に基づいて、前記報告対象セルを選択することを特徴とする通信システム。
【請求項２】
１つまたは複数の基地局装置を含むネットワーク側装置によって構成されるネットワークを介して、複数の通信端末装置が無線通信を行う通信システムであって、
前記１つまたは複数の基地局装置によって構成され、前記通信端末装置と接続されて前記通信端末装置と無線通信を行う複数のセルを備え、
前記通信端末装置は、自装置の位置、移動速度および移動方向の少なくともいずれか１つに基づいて、前記複数のセルのうち、通信状況に関する測定結果を報告すべき報告対象セルを選択し、選択した報告対象セルの測定結果を前記基地局装置に報告し、
前記ネットワーク側装置は、
前記通信端末装置が前記報告対象セルを選択する基準となる選択基準として、前記通信端末装置の位置、移動速度および移動方向に応じて異なる複数の選択基準を示すメジャメント設定を前記通信端末装置に通知し、
前記通信端末装置は、
前記ネットワーク側装置から通知されるメジャメント設定に従って、前記通信端末装置の位置、移動速度および移動方向の少なくともいずれか１つに基づいて、前記複数の選択基準の中から、使用する選択基準を決定し、決定した選択基準に基づいて、前記報告対象セルを選択することを特徴とする通信システム。
【手続補正２】
【補正対象書類名】明細書
【補正対象項目名】００５２
【補正方法】削除
【補正の内容】
【手続補正３】
【補正対象書類名】明細書
【補正対象項目名】００５３
【補正方法】変更
【補正の内容】
【００５３】
本発明の通信システムは、１つまたは複数の基地局装置を含むネットワーク側装置によって構成されるネットワークを介して、複数の通信端末装置が無線通信を行う通信システムであって、前記１つまたは複数の基地局装置によって構成され、前記通信端末装置と接続されて前記通信端末装置と無線通信を行う複数のセルを備え、前記通信端末装置は、自装置の位置、移動速度および移動方向の少なくともいずれか１つに基づいて、前記複数のセルのうち、通信状況に関する測定結果を報告すべき報告対象セルを選択し、選択した報告対象セルの測定結果を前記基地局装置に報告し、前記ネットワーク側装置は、前記通信端末装置が前記報告対象セルを選択する基準となる選択基準として、前記通信端末装置の位置、移動速度および移動方向に応じて異なる複数の選択基準を有し、前記通信端末装置の位置、移動速度および移動方向の少なくともいずれか１つに基づいて、前記複数の選択基準の中から、使用する選択基準を決定し、決定した選択基準を前記通信端末装置に通知し、前記通信端末装置は、前記ネットワーク側装置から通知される選択基準に基づいて、前記報告対象セルを選択することを特徴とする。
また本発明の通信システムは、１つまたは複数の基地局装置を含むネットワーク側装置によって構成されるネットワークを介して、複数の通信端末装置が無線通信を行う通信システムであって、前記１つまたは複数の基地局装置によって構成され、前記通信端末装置と接続されて前記通信端末装置と無線通信を行う複数のセルを備え、前記通信端末装置は、自装置の位置、移動速度および移動方向の少なくともいずれか１つに基づいて、前記複数のセルのうち、通信状況に関する測定結果を報告すべき報告対象セルを選択し、選択した報告対象セルの測定結果を前記基地局装置に報告し、前記ネットワーク側装置は、前記通信端末装置が前記報告対象セルを選択する基準となる選択基準として、前記通信端末装置の位置、移動速度および移動方向に応じて異なる複数の選択基準を示すメジャメント設定を前記通信端末装置に通知し、前記通信端末装置は、前記ネットワーク側装置から通知されるメジャメント設定に従って、前記通信端末装置の位置、移動速度および移動方向の少なくともいずれか１つに基づいて、前記複数の選択基準の中から、使用する選択基準を決定し、決定した選択基準に基づいて、前記報告対象セルを選択することを特徴とする。
【手続補正４】
【補正対象書類名】明細書
【補正対象項目名】００５４
【補正方法】削除
【補正の内容】
【手続補正５】
【補正対象書類名】明細書
【補正対象項目名】００５５
【補正方法】変更
【補正の内容】
【００５５】
本発明の通信システムによれば、通信端末装置の位置、移動速度および移動方向の少なくともいずれか１つに基づいて、複数のセルのうち、通信状況に関する測定結果を報告すべき報告対象セルが選択され、選択された報告対象セルの測定結果が通信端末装置から基地局装置に報告される。これによって、通信端末装置は、複数のセルのうち、自装置の位置、移動速度および移動方向の少なくとも１つに適したセルを、ターゲットセルとして選択することが可能となる。例えば、通信端末装置が比較的高速でセル間を移動する場合でも、適切なターゲットセルを選択することが可能となる。したがって、通信端末装置の移動に対応可能なモビリティ性能を有する通信システムを実現することができる。また、ネットワーク側装置から通信状況に関する測定を行うべきメジャメント対象セルを通信端末装置に通知する必要がないので、ネットワーク側装置の処理負荷を軽減することができる。
【国際調査報告】
2015015886.tif 000031
2015015886.tif 000032
2015015886.tif 000033
2015015886.tif 000034